(57)【特許請求の範囲】
【請求項１】
ユーザー設備ＵＥがダウンリンクデータを受信し、かつ肯定応答（ＡＣＫ）／否定応答（ＮＡＣＫ）情報を生成するステップと、
前記ＵＥが前記生成したＡＣＫ／ＮＡＣＫ情報に対しバンドリングを行わなければならないか否かを確認するステップと、
前記ＵＥが前記生成したＡＣＫ／ＮＡＣＫ情報に対しバンドリングを行わなければならないと確認後、ＡＣＫ／ＮＡＣＫ情報のバンドリング方式に基づきＡＣＫ／ＮＡＣＫビット数パラメータ値
0005592569.tif 000108
を確認するステップと、
前記ＵＥが前記ＡＣＫ／ＮＡＣＫビット数パラメータ値
0005592569.tif 000109
に基づきＰＵＣＣＨ伝送ビット数に対応する電力オフセットを確認し、前記電力オフセットに基づきＰＵＣＣＨの送信電力を確認し、かつ前記送信電力によりＰＵＣＣＨにてバンドリング実行後のＡＣＫ／ＮＡＣＫ情報を送信するステップと
を備え、
前記ＵＥのＡＣＫ／ＮＡＣＫ情報のバンドリング方式に基づく電力オフセットを計算するＡＣＫ／ＮＡＣＫビット数パラメータ値
0005592569.tif 000110
の確認は、
前記ＵＥが前記ＡＣＫ／ＮＡＣＫ情報のバンドリング方式と、前記ＵＥがダウンリンクデータを受信するダウンリンクキャリアおよび／またはダウンリンクサブフレームとに基づき、前記ＡＣＫ／ＮＡＣＫビット数パラメータ値
0005592569.tif 000111
を確認するステップを備える
ことを特徴とするアップリンク物理制御チャネルＰＵＣＣＨの電力制御方法。
【請求項２】
ユーザー設備ＵＥがダウンリンクデータを受信し、かつ肯定応答（ＡＣＫ）／否定応答（ＮＡＣＫ）情報を生成するステップと、
前記ＵＥが前記生成したＡＣＫ／ＮＡＣＫ情報に対しバンドリングを行わなければならないか否かを確認するステップと、
前記ＵＥが前記生成したＡＣＫ／ＮＡＣＫ情報に対しバンドリングを行わなければならないと確認後、ＡＣＫ／ＮＡＣＫ情報のバンドリング方式に基づきＡＣＫ／ＮＡＣＫビット数パラメータ値
0005592569.tif 000112
を確認するステップと、
前記ＵＥが前記ＡＣＫ／ＮＡＣＫビット数パラメータ値
0005592569.tif 000113
に基づきＰＵＣＣＨ伝送ビット数に対応する電力オフセットを確認し、前記電力オフセットに基づきＰＵＣＣＨの送信電力を確認し、かつ前記送信電力によりＰＵＣＣＨにてバンドリング実行後のＡＣＫ／ＮＡＣＫ情報を送信するステップと
を備え、
前記ＵＥのＡＣＫ／ＮＡＣＫ情報のバンドリング方式に基づく電力オフセットを計算するＡＣＫ／ＮＡＣＫビット数パラメータ値
0005592569.tif 000114
の確認は、
前記ＵＥが前記ＡＣＫ／ＮＡＣＫ情報のバンドリング方式と、前記ＵＥがダウンリンクデータを受信するダウンリンクキャリアおよび／またはダウンリンクサブフレームと、前記ＵＥがダウンリンクデータをまだ受信していないがデータ損失があると判断するダウンリンクキャリアおよび／またはダウンリンクサブフレームとに基づき、前記ＡＣＫ／ＮＡＣＫビット数パラメータ値
0005592569.tif 000115
を確認するステップを備える
ことを特徴とするアップリンク物理制御チャネルＰＵＣＣＨの電力制御方法。
【請求項３】
ユーザー設備ＵＥがダウンリンクデータを受信し、かつ肯定応答（ＡＣＫ）／否定応答（ＮＡＣＫ）情報を生成するステップと、
前記ＵＥが前記生成したＡＣＫ／ＮＡＣＫ情報に対しバンドリングを行わなければならないか否かを確認するステップと、
前記ＵＥが前記生成したＡＣＫ／ＮＡＣＫ情報に対しバンドリングを行わなければならないと確認後、ＡＣＫ／ＮＡＣＫ情報のバンドリング方式に基づきＡＣＫ／ＮＡＣＫビット数パラメータ値
0005592569.tif 000116
を確認するステップと、
前記ＵＥが前記ＡＣＫ／ＮＡＣＫビット数パラメータ値
0005592569.tif 000117
に基づきＰＵＣＣＨ伝送ビット数に対応する電力オフセットを確認し、前記電力オフセットに基づきＰＵＣＣＨの送信電力を確認し、かつ前記送信電力によりＰＵＣＣＨにてバンドリング実行後のＡＣＫ／ＮＡＣＫ情報を送信するステップと
を備え、
前記ＵＥのＡＣＫ／ＮＡＣＫ情報のバンドリング方式に基づく電力オフセットを計算するＡＣＫ／ＮＡＣＫビット数パラメータ値
0005592569.tif 000118
の確認は、
前記ＵＥがバンドリング実行後のＡＣＫ／ＮＡＣＫ情報ビット数に基づき、前記ＡＣＫ／ＮＡＣＫビット数パラメータ値
0005592569.tif 000119
を確認するステップを備え、
前記ＵＥが空間バンドリング方式を用いる場合、前記ＵＥは前記ＡＣＫ／ＮＡＣＫ情報ビット数パラメータ値
0005592569.tif 000120
がＮ×Ｍであると確認し、ここで、前記Ｎは前記ＵＥが配置するダウンリンクキャリア数であり、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリング方式を用いる場合、前記ＵＥは前記ＡＣＫ／ＮＡＣＫ情報ビット数パラメータ値
0005592569.tif 000121
が
0005592569.tif 000122
であると確認し、ここで、前記Ｎは前記ＵＥが配置したダウンリンクキャリア数であり、前記Ｍｉは前記ＵＥが第ｉ個ダウンリンクキャリアにて現在のアップリンクサブフレームにてフィードバックしなければならないＡＣＫ／ＮＡＣＫ情報のダウンリンクサブフレーム個数であり、
または、前記ＵＥが空間バンドリングと周波数領域バンドリング方式を用いる場合、前記ＵＥは前記ＡＣＫ／ＮＡＣＫ情報ビット数パラメータ値
0005592569.tif 000123
がＭであると確認し、ここで、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリングと時間領域バンドリング方式を用いる場合、前記ＵＥは前記ＡＣＫ／ＮＡＣＫ情報ビット数パラメータ値
0005592569.tif 000124
がＬであると確認し、ここで、Ｌは前記ＵＥがＮ個ダウンリンクキャリアにてＭ個ダウンリンクサブフレームのＡＣＫ／ＮＡＣＫ情報に対し空間バンドリングと時間領域バンドリングを実行後に獲得した情報ビット数であり、前記Ｎは前記ＵＥが配置したダウンリンクキャリア数であり、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリングと前記ＵＥが正確に受信したデータパケット個数を示すバンドリング方式を用いる場合、前記ＵＥは前記ＡＣＫ／ＮＡＣＫ情報ビット数がＫであると確認し、ここで、Ｋは前記ＵＥが正確に受信したデータパケット個数を示す情報ビット数である
ことを特徴とするアップリンク物理制御チャネルＰＵＣＣＨの電力制御方法。
【請求項４】
前記ダウンリンクデータは、物理ダウンリンク共有チャネルＰＤＳＣＨが伝送するデータと、ダウンリンクＳＰＳリソースのリリースを指示する物理ダウンリンク制御チャネルＰＤＣＣＨが伝送するデータとを備える
ことを特徴とする請求項１または２に記載のアップリンク物理制御チャネルＰＵＣＣＨの電力制御方法。
【請求項５】
前記ＵＥが空間バンドリング方式を用いる場合、前記ＵＥは前記ＡＣＫ／ＮＡＣＫビット数パラメータ値
0005592569.tif 000125
がＳ−Ｓ１であると確認し、ここで、Ｓは前記ＵＥが受信した伝送ブロック個数とダウンリンクＳＰＳリソースのリリースを指示するＰＤＣＣＨ個数との総計であり、Ｓ１は前記ＵＥが受信した伝送モデルがマルチコードワードであり、かつ同時にマルチコードワードをスケジューリングするＰＤＳＣＨ個数であり、
または、前記ＵＥが空間バンドリングと周波数領域バンドリング方式を用いる場合、前記ＵＥは前記ＡＣＫ／ＮＡＣＫビット数パラメータ値
0005592569.tif 000126
がＭ１であると確認し、ここで、Ｍ１は前記ＵＥがＭ個ダウンリンクサブフレームにて伝送ブロックおよび／またはダウンリンクＳＰＳリソースのリリースを指示するＰＤＣＣＨを受信するダウンリンクサブフレーム個数であり、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリングと時間領域バンドリング方式を用いる場合、前記ＵＥは前記ＡＣＫ／ＮＡＣＫビット数パラメータ値
0005592569.tif 000127
がＬ１であると確認し、ここで、Ｌ１は前記ＵＥがＮ１個ダウンリンクキャリアでのＭ個ダウンリンクサブフレームのＡＣＫ／ＮＡＣＫ情報に対し空間バンドリングと時間領域バンドリングを実行後に獲得した情報ビット数であり、前記Ｎ１個ダウンリンクキャリアは前記ＵＥが伝送ブロックおよび／またはダウンリンクＳＰＳリソースのリリースを指示するＰＤＣＣＨを受信するダウンリンクキャリアであり、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリングと前記ＵＥが正確に受信したデータパケット個数を示すバンドリング方式を用いる場合、前記ＵＥは前記ＡＣＫ／ＮＡＣＫビット数パラメータ値
0005592569.tif 000128
がＫであると確認し、ここで、Ｋは前記ＵＥが正確に受信したデータパケット個数を示す情報ビット数である
ことを特徴とする請求項１に記載のアップリンク物理制御チャネルＰＵＣＣＨの電力制御方法。
【請求項６】
前記ＵＥが空間バンドリング方式を用いる場合、前記ＵＥは前記ＡＣＫ／ＮＡＣＫビット数パラメータ値
0005592569.tif 000129
がＳ−Ｓ１+Ｐであると確認し、ここで、ＳはＵＥが受信した伝送ブロック個数とダウンリンクＳＰＳリソースのリリースを指示するＰＤＣＣＨ個数との総計であり、Ｓ１はＵＥが受信した伝送モデルがマルチコードワードであり、かつ同時にマルチコードワードをスケジューリングするＰＤＳＣＨ個数であり、Ｐは前記ＵＥがパケットロスと判断するＰＤＳＣＨ個数とパケットロスと判断するダウンリンクＳＰＳリソースのリリースを指示するＰＤＣＣＨ個数の総計であり、
または、前記ＵＥが空間バンドリングと周波数領域バンドリング方式を用いる場合、前記ＵＥは前記ＡＣＫ／ＮＡＣＫビット数パラメータ値
0005592569.tif 000130
がＭ１+Ｐ１であると確認し、ここで、Ｍ１は前記ＵＥがＭ個ダウンリンクサブフレームにて伝送ブロックおよび／またはダウンリンクＳＰＳリソースのリリースを指示するＰＤＣＣＨを受信するダウンリンクサブフレーム個数であり、Ｐ１は前記ＵＥがＭ個ダウンリンクサブフレームにてデータをまだ受信していないがパケットロスと判断するダウンリンクサブフレーム個数であり、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリングと時間領域バンドリング方式を用いる場合、前記ＵＥは前記ＡＣＫ／ＮＡＣＫビット数パラメータ値
0005592569.tif 000131
がＬ２であると確認し、ここで、Ｌ２は、前記ＵＥがＮ２個ダウンリンクキャリアでのＭ個ダウンリンクサブフレームのＡＣＫ／ＮＡＣＫ情報に対し空間バンドリングと時間領域バンドリングを実行後に獲得した情報ビット数であり、前記Ｎ２個ダウンリンクキャリアは前記ＵＥが伝送ブロックおよび／またはダウンリンクＳＰＳリソースのリリースを指示するＰＤＣＣＨを受信するダウンリンクキャリア、およびＵＥがデータをまだ受信していないがパケットロスと判断するダウンリンクキャリアであり、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリングと前記ＵＥが正確に受信したデータパケット／伝送ブロック個数を示すバンドリング方式を用いる場合、前記ＵＥは前記ＡＣＫ／ＮＡＣＫビット数パラメータ値
0005592569.tif 000132
がＫであると確認し、ここで、Ｋは前記ＵＥが正確に受信したデータパケット個数を示す情報ビット数である
ことを特徴とする請求項２に記載のアップリンク物理制御チャネルＰＵＣＣＨの電力制御方法。
【請求項７】
前記ＵＥが前記生成したＡＣＫ／ＮＡＣＫ情報に対しバンドリングを行わなくてもよいと確認する場合、
前記ＵＥは、前記ＵＥが受信した伝送ブロックとダウンリンクＳＰＳリソースのリリースを指示するＰＤＣＣＨに基づき前記ＡＣＫ／ＮＡＣＫビット数パラメータ値
0005592569.tif 000133
を確認する
ことを特徴とする請求項１ないし３のいずれかに記載のアップリンク物理制御チャネルＰＵＣＣＨの電力制御方法。
【請求項８】
前記ＵＥは前記ＡＣＫ／ＮＡＣＫビット数パラメータ値
0005592569.tif 000134
がＳであると確認し、
ここで、Ｓは前記ＵＥが受信した伝送ブロック個数とダウンリンクＳＰＳリソースのリリースを指示するＰＤＣＣＨ個数との総計である
ことを特徴とする請求項７に記載のアップリンク物理制御チャネルＰＵＣＣＨの電力制御方法。
【請求項９】
前記ＵＥが前記生成したＡＣＫ／ＮＡＣＫ情報に対しバンドリングを行わなくてもよいと確認する場合、
前記ＵＥは、前記ＵＥが受信した伝送ブロックとダウンリンクＳＰＳリソースのリリースを指示するＰＤＣＣＨと、前記ＵＥがパケットロスと判断する伝送ブロック／ＰＤＳＣＨと、前記ＵＥが確認するケットロスと判断するＳＰＳリソースのリリースを指示するＰＤＣＣＨとに基づき前記ＡＣＫ／ＮＡＣＫビット数パラメータ値
0005592569.tif 000135
を確認するステップをさらに備える
ことを特徴とする請求項１ないし３のいずれかに記載のアップリンク物理制御チャネルＰＵＣＣＨの電力制御方法。
【請求項１０】
前記ＵＥは前記ＡＣＫ／ＮＡＣＫビット数パラメータ値
0005592569.tif 000136
がＳ+Ｐであると確認し、
ここで、Ｓは前記ＵＥが受信した伝送ブロック個数とダウンリンクＳＰＳリソースのリリースを指示するＰＤＣＣＨ個数との総計であり、Ｐは前記ＵＥがパケットロスと判断する伝送ブロック／ＰＤＳＣＨ個数と、前記ＵＥがパケットロスと判断するダウンリンクＳＰＳリソースのリリースを指示するＰＤＣＣＨ個数との総計である
ことを特徴とする請求項９に記載のアップリンク物理制御チャネルＰＵＣＣＨの電力制御方法。
【請求項１１】
前記ＵＥは以下の公式に基づきアップリンクサブフレームｉにおけるＰＵＣＣＨの送信電力を確認し、
0005592569.tif 000137
ここで、
0005592569.tif 000138
は、上位層により配置された前記ＵＥの最大送信電力であり、
パラメータ
0005592569.tif 000139
は、上位層により配置された異なるＰＵＣＣＨフォーマットがＰＵＣＣＨフォーマット１ａに相対する電力オフセットパラメータであり、
0005592569.tif 000140
は、ＰＵＣＣＨ伝送ビット数に対応する電力オフセットであり、
0005592569.tif 000141
はチャネル状態情報ＣＳＩビット数パラメータ値であり、
0005592569.tif 000142
はＡＣＫ／ＮＡＣＫビット数パラメータ値であり、
0005592569.tif 000143
はスケジューリング要求ＳＲビット数パラメータ値であり、
0005592569.tif 000144
は、ＰＵＣＣＨの送信電力目標値であり、
0005592569.tif 000145
は、電力制御コマンドワード累積量であり、
0005592569.tif 000146
は、前記ＵＥが測量したルート損失値であり、
0005592569.tif 000147
は、上位層に配置された前記ＵＥの送信ダイバシティ電力調整量である
ことを特徴とする請求項１ないし３のいずれかに記載のアップリンク物理制御チャネルＰＵＣＣＨの電力制御方法。
【請求項１２】
ダウンリンクデータを受信し、かつ肯定応答（ＡＣＫ）／否定応答（ＮＡＣＫ）情報を生成する、フィードバック情報生成ユニットと、
前記生成したＡＣＫ／ＮＡＣＫ情報に対しバンドリングを行わなければならないか否かを確認する、バンドリング確認ユニットと、
前記生成したＡＣＫ／ＮＡＣＫ情報に対しバンドリングを行わなければならないと確認後、ＡＣＫ／ＮＡＣＫ情報のバンドリング方式に基づきＡＣＫ／ＮＡＣＫビット数パラメータ値
0005592569.tif 000148
を確認する、パラメータ確認ユニットと、
前記ＡＣＫ／ＮＡＣＫビット数パラメータ値
0005592569.tif 000149
に基づきＰＵＣＣＨ伝送ビット数に対応する電力オフセットを確認し、前記電力オフセットに基づきＰＵＣＣＨの送信電力を確認し、かつ前記送信電力によりＰＵＣＣＨにてバンドリング実行後のＡＣＫ／ＮＡＣＫ情報を送信する、データ送信ユニットと、
を備え、
前記パラメータ確認ユニットは、
前記ＡＣＫ／ＮＡＣＫ情報のバンドリングと、前記ＵＥがダウンリンクデータを受信するダウンリンクキャリアおよび／またはダウンリンクサブフレームとに基づき、前記ＡＣＫ／ＮＡＣＫビット数パラメータ値
0005592569.tif 000150
を確認する
ことを特徴とするユーザー設備ＵＥ。
【請求項１３】
ダウンリンクデータを受信し、かつ肯定応答（ＡＣＫ）／否定応答（ＮＡＣＫ）情報を生成する、フィードバック情報生成ユニットと、
前記生成したＡＣＫ／ＮＡＣＫ情報に対しバンドリングを行わなければならないか否かを確認する、バンドリング確認ユニットと、
前記生成したＡＣＫ／ＮＡＣＫ情報に対しバンドリングを行わなければならないと確認後、ＡＣＫ／ＮＡＣＫ情報のバンドリング方式に基づきＡＣＫ／ＮＡＣＫビット数パラメータ値
0005592569.tif 000151
を確認する、パラメータ確認ユニットと、
前記ＡＣＫ／ＮＡＣＫビット数パラメータ値
0005592569.tif 000152
に基づきＰＵＣＣＨ伝送ビット数に対応する電力オフセットを確認し、前記電力オフセットに基づきＰＵＣＣＨの送信電力を確認し、かつ前記送信電力によりＰＵＣＣＨにてバンドリング実行後のＡＣＫ／ＮＡＣＫ情報を送信する、データ送信ユニットと、
を備え、
前記パラメータ確認ユニットは、
前記ＡＣＫ／ＮＡＣＫ情報のバンドリング方式と、前記ＵＥがダウンリンクデータを受信するダウンリンクキャリアおよび／またはダウンリンクサブフレームと、前記ＵＥがダウンリンクデータをまだ受信していないがデータ損失があると判断するダウンリンクキャリアおよび／またはダウンリンクサブフレームとに基づき、前記ＡＣＫ／ＮＡＣＫビット数パラメータ値
0005592569.tif 000153
を確認する
ことを特徴とするユーザー設備ＵＥ。
【請求項１４】
ダウンリンクデータを受信し、かつ肯定応答（ＡＣＫ）／否定応答（ＮＡＣＫ）情報を生成する、フィードバック情報生成ユニットと、
前記生成したＡＣＫ／ＮＡＣＫ情報に対しバンドリングを行わなければならないか否かを確認する、バンドリング確認ユニットと、
前記生成したＡＣＫ／ＮＡＣＫ情報に対しバンドリングを行わなければならないと確認後、ＡＣＫ／ＮＡＣＫ情報のバンドリング方式に基づきＡＣＫ／ＮＡＣＫビット数パラメータ値
0005592569.tif 000154
を確認する、パラメータ確認ユニットと、
前記ＡＣＫ／ＮＡＣＫビット数パラメータ値
0005592569.tif 000155
に基づきＰＵＣＣＨ伝送ビット数に対応する電力オフセットを確認し、前記電力オフセットに基づきＰＵＣＣＨの送信電力を確認し、かつ前記送信電力によりＰＵＣＣＨにてバンドリング実行後のＡＣＫ／ＮＡＣＫ情報を送信する、データ送信ユニットと、
を備え、
前記パラメータ確認ユニットは、
バンドリング実行後のＡＣＫ／ＮＡＣＫ情報ビット数に基づき、前記ＡＣＫ／ＮＡＣＫビット数パラメータ値
0005592569.tif 000156
を確認し、
前記パラメータ確認ユニットは、
空間バンドリング方式を用いる場合、前記ＡＣＫ／ＮＡＣＫ情報ビット数パラメータ値
0005592569.tif 000157
がＮ×Ｍであると確認し、ここで、前記Ｎは前記ＵＥが配置したダウンリンクキャリア数であり、前記Ｍは前記ＵＥが現在のアップリンクサブフレームにてフィードバックしなければならないＡＣＫ／ＮＡＣＫ情報のダウンリンクサブフレーム個数であり、
または、空間バンドリング方式を用いる場合、前記ＡＣＫ／ＮＡＣＫ情報ビット数パラメータ値
0005592569.tif 000158
が
0005592569.tif 000159
であると確認し、ここで、前記Ｎは前記ＵＥが配置したダウンリンクキャリア数であり、前記Ｍｉは前記ＵＥが第ｉ個ダウンリンクキャリアにて現在のアップリンクサブフレームにてフィードバックしなければならないＡＣＫ／ＮＡＣＫ情報のダウンリンクサブフレーム個数であり、
または、空間バンドリングと周波数領域バンドリング方式を用いる場合、前記ＡＣＫ／ＮＡＣＫ情報ビット数パラメータ値
0005592569.tif 000160
がＭであると確認し、ここで、Ｍは前記ＵＥが現在のアップリンクサブフレームにてフィードバックしなければならないＡＣＫ／ＮＡＣＫ情報のダウンリンクサブフレーム個数であり、
または、空間バンドリングと時間領域バンドリング方式を用いる場合、前記ＡＣＫ／ＮＡＣＫビット数パラメータ値
0005592569.tif 000161
がＬであると確認し、ここで、Ｌは前記ＵＥがＮ個ダウンリンクキャリアにてＭ個ダウンリンクサブフレームのＡＣＫ／ＮＡＣＫ情報に対し空間バンドリングと時間領域バンドリングを実行後に獲得した情報ビット数であり、前記Ｎは前記ＵＥが配置したダウンリンクキャリア数であり、前記Ｍは前記ＵＥが現在のアップリンクサブフレームにてフィードバックしなければならないＡＣＫ／ＮＡＣＫ情報のダウンリンクサブフレーム個数であり、
または、空間バンドリングと前記ＵＥが正確に受信したデータパケット個数を示すバンドリング方式を用いる場合、前記ＡＣＫ／ＮＡＣＫビット数パラメータ値
0005592569.tif 000162
がＫであると確認し、ここで、Ｋは前記ＵＥが正確に受信したデータパケット個数を示す情報ビット数である
ことを特徴とするユーザー設備ＵＥ。
【請求項１５】
前記ダウンリンクデータは、物理ダウンリンク共有チャネルＰＤＳＣＨが伝送するデータと、ダウンリンクＳＰＳリソースのリリースを指示する物理ダウンリンク制御チャネルＰＤＣＣＨが伝送するデータとを備える
ことを特徴とする請求項１２または１３に記載のユーザー設備ＵＥ。
【請求項１６】
前記パラメータ確認ユニットは、
空間バンドリング方式を用いる場合、前記ＡＣＫ／ＮＡＣＫビット数パラメータ値
0005592569.tif 000163
がＳ−Ｓ１であると確認し、ここで、Ｓは前記ＵＥが受信した伝送ブロック個数とダウンリンクＳＰＳリソースのリリースを指示するＰＤＣＣＨ個数の総計であり、Ｓ１は前記ＵＥが受信した伝送モデルをマルチコードワードとし、かつ同時にマルチコードワードをスケジューリングするＰＤＳＣＨ個数であり、
または、前記ＵＥが空間バンドリングと周波数領域バンドリング方式を用いる場合、前記ＡＣＫ／ＮＡＣＫビット数パラメータ値
0005592569.tif 000164
がＭ１であると確認し、ここで、Ｍ１は前記ＵＥがＭ個ダウンリンクサブフレームにて伝送ブロックおよび／またはダウンリンクＳＰＳリソースのリリースを指示するＰＤＣＣＨを受信するダウンリンクサブフレーム個数であり、前記Ｍは前記ＵＥが現在のアップリンクサブフレームにてフィードバックしなければならないＡＣＫ／ＮＡＣＫ情報のダウンリンクサブフレーム個数であり、
または、前記ＵＥが空間バンドリングと周波数領域バンドリング方式を用いる場合、前記ＡＣＫ／ＮＡＣＫビット数パラメータ値
0005592569.tif 000165
がＬ１であると確認し、ここで、Ｌ１は前記ＵＥがＮ１個ダウンリンクキャリアでのＭ個ダウンリンクサブフレームのＡＣＫ／ＮＡＣＫ情報に対し空間バンドリングと時間領域バンドリングを実行後に獲得した情報ビット数であり、前記Ｎ１個ダウンリンクキャリアはＵＥが伝送ブロックおよび／またはダウンリンクＳＰＳリソースのリリースを指示するＰＤＣＣＨを受信するダウンリンクキャリアであり、前記Ｍは前記ＵＥが現在のアップリンクサブフレームにてフィードバックしなければならないＡＣＫ／ＮＡＣＫ情報のダウンリンクサブフレーム個数であり、
または、空間バンドリングと前記ＵＥが正確に受信したデータパケット個数を示すバンドリング方式を用いる場合、前記ＡＣＫ／ＮＡＣＫビット数パラメータ値
0005592569.tif 000166
がＫであると確認し、ここで、Ｋは前記ＵＥが正確に受信したデータパケット個数を示す情報ビット数である
ことを特徴とする請求項１２に記載のユーザー設備ＵＥ。
【請求項１７】
前記パラメータ確認ユニットは、
空間バンドリング方式を用いる場合、前記ＡＣＫ／ＮＡＣＫビット数パラメータ値
0005592569.tif 000167
がＳ−Ｓ１+Ｐであると確認し、ここで、Ｓは前記ＵＥが受信した伝送ブロック個数とダウンリンクＳＰＳリソースのリリースを指示するＰＤＣＣＨ個数との総計であり、Ｓ１は前記ＵＥが受信した伝送モデルがマルチコードワードであり、かつ同時にマルチコードワードをスケジューリングするＰＤＳＣＨ個数であり、Ｐは前記ＵＥがパケットロスと判断するＰＤＳＣＨ個数とパケットロスと判断するダウンリンクＳＰＳリソースのリリースを指示するＰＤＣＣＨ個数との総計であり、
または、空間バンドリングと周波数領域バンドリング方式を用いる場合、前記ＡＣＫ／ＮＡＣＫビット数パラメータ値
0005592569.tif 000168
がＭ１+Ｐ１であると確認し、ここで、Ｍ１はＵＥがＭ個ダウンリンクサブフレームにて伝送ブロックおよび／またはダウンリンクＳＰＳリソースのリリースを指示するＰＤＣＣＨを受信するダウンリンクサブフレーム個数であり、Ｐ１は前記ＵＥが前記Ｍ個ダウンリンクサブフレームにてデータをまだ受信していないがパケットロスと判断するダウンリンクサブフレーム個数であり、前記Ｍは前記ＵＥが現在のアップリンクサブフレームにてフィードバックしなければならないＡＣＫ／ＮＡＣＫ情報のダウンリンクサブフレーム個数であり、
または、空間バンドリングと時間領域バンドリング方式を用いる場合、前記ＡＣＫ／ＮＡＣＫビット数パラメータ値
0005592569.tif 000169
がＬ２であると確認し、ここで、Ｌ２は、前記ＵＥがＮ２個ダウンリンクキャリアでのＭ個ダウンリンクサブフレームのＡＣＫ／ＮＡＣＫ情報に対し空間バンドリングと時間領域バンドリングを実行後に獲得した情報ビット数であり、前記Ｎ２個ダウンリンクキャリアはＵＥが伝送ブロックおよび／またはダウンリンクＳＰＳリソースのリリースを指示するＰＤＣＣＨを受信するダウンリンクキャリア、およびＵＥがデータをまだ受信していないがパケットロスと判断するダウンリンクキャリアであり、前記Ｍは前記ＵＥが現在のアップリンクサブフレームにてフィードバックしなければならないＡＣＫ／ＮＡＣＫ情報のダウンリンクサブフレーム個数であり、
または、空間バンドリングと前記ＵＥが正確に受信したデータパケット個数を示すバンドリング方式を用いる場合、前記ＵＥは前記ＡＣＫ／ＮＡＣＫビット数パラメータ値
0005592569.tif 000170
がＫであると確認し、ここで、Ｋは前記ＵＥが正確に受信したデータパケット個数を示す情報ビット数である
ことを特徴とする請求項１３に記載のユーザー設備ＵＥ。
【請求項１８】
前記パラメータ確認ユニットは、
前記生成したＡＣＫ／ＮＡＣＫ情報に対しバンドリングを行わなくてもよいと確認する場合、前記ＵＥが受信した伝送ブロックとダウンリンクＳＰＳリソースのリリースを指示するＰＤＣＣＨに基づき前記ＡＣＫ／ＮＡＣＫビット数パラメータ値
0005592569.tif 000171
を確認する
ことを特徴とする請求項１２ないし１４のいずれかに記載のユーザー設備ＵＥ。
【請求項１９】
前記パラメータ確認ユニットは、
前記ＡＣＫ／ＮＡＣＫビット数パラメータ値
0005592569.tif 000172
がＳであると確認し、ここで、Ｓは前記ＵＥが受信した伝送ブロック個数とダウンリンクＳＰＳリソースのリリースを指示するＰＤＣＣＨ個数との総計である
ことを特徴とする請求項１８に記載のユーザー設備ＵＥ。
【請求項２０】
前記パラメータ確認ユニットは、
前記生成したＡＣＫ／ＮＡＣＫ情報に対しバンドリングを行わなくてもよいと確認する場合、前記ＵＥが受信した伝送ブロックとダウンリンクＳＰＳリソースのリリースを指示するＰＤＣＣＨと、前記ＵＥがパケットロスと判断する伝送ブロック／ＰＤＳＣＨと、前記ＵＥがパケットロスと判断するダウンリンクＳＰＳリソースのリリースを指示するＰＤＣＣＨとに基づき前記ＡＣＫ／ＮＡＣＫビット数パラメータ値
0005592569.tif 000173
を確認する
ことを特徴とする請求項１２ないし１４のいずれかに記載のユーザー設備ＵＥ。
【請求項２１】
前記パラメータ確認ユニットは、
前記ＡＣＫ／ＮＡＣＫビット数パラメータ値がＳ＋Ｐであると確認し、ここで、Ｓは前記ＵＥが受信した伝送ブロック個数とダウンリンクＳＰＳリソースのリリースを指示するＰＤＣＣＨ個数との総計であり、Ｐは前記ＵＥがパケットロスと判断する伝送ブロック／ＰＤＳＣＨ個数と、前記ＵＥがパケットロスと判断するダウンリンクＳＰＳリソースのリリースを指示するＰＤＣＣＨ個数との総計である
ことを特徴とする請求項２０に記載のユーザー設備ＵＥ。
【請求項２２】
前記データ送信ユニットは、以下の公式に基づきアップリンクサブフレームｉにおけるＰＵＣＣＨの送信電力を確認し、
0005592569.tif 000174
ここで、
0005592569.tif 000175
は、上位層に配置された前記ＵＥの最大送信電力であり、
パラメータ
0005592569.tif 000176
は、上位層に配置された異なるＰＵＣＣＨフォーマットがＰＵＣＣＨフォーマット１ａに相対する電力オフセットパラメータであり、
0005592569.tif 000177
は、ＰＵＣＣＨ伝送ビット数に対応する電力オフセットであり、
0005592569.tif 000178
はチャネル状態情報ＣＳＩビット数パラメータ値であり、
0005592569.tif 000179
はＡＣＫ／ＮＡＣＫビット数パラメータ値であり、
0005592569.tif 000180
はスケジューリング要求ＳＲビット数パラメータ値であり、
0005592569.tif 000181
は、ＰＵＣＣＨの送信電力目標値であり、
0005592569.tif 000182
は、電力制御コマンドワード累積量であり、
0005592569.tif 000183
は、前記ＵＥが測量したルート損失値であり、
0005592569.tif 000184
は、上位層により配置された前記ＵＥの送信ダイバシティ電力調整量である
ことを特徴とする請求項１２ないし１４のいずれかに記載のユーザー設備ＵＥ。
【発明の詳細な説明】
【技術分野】
【０００１】
本出願は、２０１１年１１月２２日に中国特許局に提出し、出願番号が２０１０１０５５４２９５．９であり、発明名称が「アップリンク物理制御チャネル（ＰＵＣＣＨ）の電力制御方法および設備」との中国特許出願を基礎である優先権を主張し、その開示の総てをここに取り込む。
本発明は無線通信分野に関し、特にアップリンク物理制御チャネルＰＵＣＣＨ（Ｐｈｙｓｉｃａｌ  ｕｐｌｉｎｋ  Ｃｏｎｔｒｏｌ  Ｃｈａｎｎｅｌ）の電力制御方法および設備に関する。
【背景技術】
【０００２】
ロング・ターム・エボリューション・アドバンスト（ＬＴＥ−Ａ，Ｌｏｎｇ  Ｔｅｒｍ  Ｅｖｏｌｕｔｉｏｎ  Ａｄｖａｎｃｅｄ）システムは、ロング・ターム・エボリューション（ＬＴＥ，Ｌｏｎｇ  Ｔｅｒｍ  Ｅｖｏｌｕｔｉｏｎ）システムと比べてより幅の広いシステム帯域幅（例えば、１００ＭＨｚ）を支援するためのもので、一般的に、以下の２つの実施方法がある。
１つは、図１が示すように、１００Ｍ帯域幅のスペクトルを直接割り当てる。
もう１つは、図２が示すように、従来のシステムに割り当てた一部のスペクトルを集合させ、大きな帯域幅にしてロング・ターム・エボリューションマルチキャリアシステムに供給して使用する。
即ち、キャリア・アグリゲーション（ＣＡ，Ｃａｒｒｉｅｒ  Ａｇｇｒｅｇａｔｉｏｎ）は、この時システムにおいてアップ・ダウンリンクキャリアを非対称に配置してもよく、ユーザーは、おそらく、Ｎ≧１個キャリアを占用しダウンリンク伝送を行い、
0005592569.tif 000002
個キャリアは、アップリンク伝送を行う。    
【０００３】
現在、ＬＴＥ−Ａシステムは、最多５キャリアのアグリゲーション実行を支援できると確認しており、ユーザー設備（ＵＥ，Ｕｓｅｒ  Ｅｑｕｉｐｍｅｎｔ）は、同一のアップリンクサブフレーム内にて、複数のダウンリンクキャリアおよびダウンリンクサブフレームに対応する肯定応答／否定応答（ＡＣＫ／ＮＡＣＫ）情報をフィードバックしなければならない。
現在、ＬＴＥ−Ａシステムは、すでに、周波数分割複信システム及び時間分割複信システムについて、それぞれ以下のように確定した。
周波数分割複信（ＦＤＤ，Ｆｒｅｑｕｅｎｃｙ  Ｄｉｖｉｓｉｏｎ  Ｄｕｐｌｅｘｉｎｇ）システムについて、ＵＥがアップリンクサブフレームにてフィードバックしなければならないＡＣＫ／ＮＡＣＫ情報ビット数は、ＵＥに配置したダウンリンクキャリア数と各ダウンリンクキャリアの伝送モデルにより決められる。
即ち、ＵＥは、アップリンクサブフレームにてＮ＋Ｎ０ビットのＡＣＫ／ＮＡＣＫ情報をフィードバックしなければならない。
ここで、Ｎは、ＵＥに配置したダウンリンクキャリア数であり、Ｎ０は、Ｎ個ダウンリンクキャリアにおける伝送モデルがマルチコードワードであるダウンリンクキャリア数である。
時分割複信（ＴＤＤ，Ｔｉｍｅ  Ｄｉｖｉｓｉｏｎ  Ｄｕｐｌｅｘｉｎｇ）システムについて、ＵＥがアップリンクサブフレームにてフィードバックしなければならないＡＣＫ／ＮＡＣＫ情報ビット数は、ＵＥに配置したダウンリンクキャリア数、各ダウンリンクキャリアの伝送モデルおよびＵＥが同一のアップリンクサブフレームにてフィードバックしなければならないＡＣＫ／ＮＡＣＫ情報のダウンリンクサブフレーム数により決められる。
即ち、ＵＥは、アップリンクサブフレームにてＭ×（Ｎ＋Ｎ０）ビットのＡＣＫ／ＮＡＣＫ情報をフィードバックしなければならない。
ここで、Ｎは、ＵＥに配置したダウンリンクキャリア数であり、Ｎ０は、Ｎ個ダウンリンクキャリアにおける伝送モデルがマルチコードワードであるダウンリンクキャリア数であり、Ｍは、ＵＥが同一のアップリンクサブフレームにてフィードバックしなければならないＡＣＫ／ＮＡＣＫ情報のダウンリンクサブフレーム数量である。
異なるアップ・ダウンリンク配置およびアップリンクサブフレームに対してＭの値は、異なる。
即ち、表１における各種アップ・ダウンリンク配置において、アップリンクサブフレームに対応するダウンリンクサブフレームインデックス集合Ｋ：｛ｋ０，ｋ１，…，ｋＭ−１｝におけるｋの数量である。
表１
0005592569.tif 000003
【０００４】
ＬＴＥ−Ａシステムにおいて、アップリンク物理制御チャネルフォーマット１ｂのチャネル選択（ＰＵＣＣＨ  ｆｏｒｍａｔ  １ｂ  ｗｉｔｈ  ｃｈａｎｎｅｌ  ｓｅｌｅｃｔｉｏｎ）とアップリンク物理制御チャネルフォーマット（ＰＵＣＣＨ  ｆｏｒｍａｔ）３をＡＣＫ／ＮＡＣＫ情報の多重化伝送方案とすることが、既に確認されている。
ここで、ＰＵＣＣＨ  ｆｏｒｍａｔ１ｂ  ｗｉｔｈ  ｃｈａｎｎｅｌ  ｓｅｌｅｃｔｉｏｎ伝送方案の最大伝送ビット数は、４ビットであり、ＰＵＣＣＨ  ｆｏｒｍａｔ  ３伝送方案の最大伝送ビット数は、２０ビットである。
ＵＥがフィードバックしなければならないＡＣＫ／ＮＡＣＫ情報が前記しきい値を超える場合、フィードバックしたＡＣＫ／ＮＡＣＫ情報ビット数を前記しきい値より小さくまたは等しくさせるために、ＡＣＫ／ＮＡＣＫ情報をバンドリングする。
この過程は、空間バンドリング（Ｓｐａｔｉａｌ  Ｂｕｎｄｌｉｎｇ）、時間領域バンドリング（Ｔｉｍｅ−ｄｏｍａｉｎ  Ｂｕｎｄｌｉｎｇ）または周波数領域バンドリング（Ｆｒｅｑｕｅｎｃｙ−ｄｏｍａｉｎ  Ｂｕｎｄｌｉｎｇ）等の方法を用いることができる。
【０００５】
ロング・ターム・エボリューションバージョン８／９（ＬＴＥ  Ｒｅｌ−８／９）システムにおいて、ＰＵＣＣＨの電力制御は、ＵＥ側にて実現される。
ＵＥは、基地局がＵＥに配置したＰＵＣＣＨ電力制御関連パラメータと現在の具体的なスケジューリング状況に基づき、ＰＵＣＣＨ送信電力を計算する。
詳細は、３ＧＰＰ  ＴＳ３６．２１３を参照できる。
以下に、具体的に説明する。
【０００６】
アップリンクサブフレームｉにおいて、ＵＥは、下記の公式１により、ＰＵＣＣＨの送信電力
0005592569.tif 000004
を計算する。
【０００７】
公式１：
0005592569.tif 000005
ここで、
0005592569.tif 000006
は、上位層に配置されたＵＥの最大送信電力であり、パラメータ
0005592569.tif 000007
は、上位層により配置され、異なるＰＵＣＣＨ  ｆｏｒｍａｔがＰＵＣＣＨ  ｆｏｒｍａｔ  １ａに対する電力オフセットであり、ＬＴＥ  Ｒｅｌ−８／９システムにおいてＰＵＣＣＨ  ｆｏｒｍａｔは、ＰＵＣＣＨ  ｆｏｒｍａｔ  １／１ａ／１ｂ／２／２ａ／２ｂのような多様なフォーマットを備え、
0005592569.tif 000008
は、ＰＵＣＣＨが伝送するビット数に対応する電力オフセットである。
ここで、
0005592569.tif 000009
は、送信したチャネル状態情報（Ｃｈａｎｎｅｌ  Ｓｔａｔｅ  Ｉｎｆｏｒｍａｔｉｏｎ，ＣＳＩ）のビット数に対応する。
ＣＳＩは、チャネル品質指標（Ｃｈａｎｎｅｌ  Ｑｕａｌｉｔｙ  Ｉｎｄｉｃａｔｏｒ，ＣＱＩ）情報、プリコーディングマトリクス指標（Ｐｒｅ−ｃｏｄｉｎｇ  Ｍａｔｒｉｘ  Ｉｎｄｉｃａｔｏｒ，ＰＭＩ）情報、ランク指標（Ｒａｎｋ  Ｉｎｄｉｃａｔｉｏｎ，ＲＩ）情報およびプリコーディングタイプ指標（Ｐｒｅｃｏｄｅｒ  Ｔｙｐｅ  Ｉｎｄｉｃａｔｉｏｎ，ＰＴＩ）情報を含む。
0005592569.tif 000010
は、送信したＡＣＫ／ＮＡＣＫ情報のビット数に対応し、
0005592569.tif 000011
は、ＰＵＣＣＨ送信電力目標値であり、上位層により配置されたセル専属部分
0005592569.tif 000012
とＵＥ専属部分
0005592569.tif 000013
の両部分が合わさって構成され、ｇ（ｉ）は、電力制御コマンドワード累積量であり、ＰＬは、ＵＥが測量したルート損失値である。
【０００８】
ＬＴＥ  Ｒｅｌ−８／９システムにおいて、前記
0005592569.tif 000014
は、異なるＰＵＣＣＨ  ｆｏｒｍａｔに対し異なる定義方式を有する。
ＰＵＣＣＨ  ｆｏｒｍａｔ  １／１ａ／１ｂについて、
0005592569.tif 000015
と定義し；
ＰＵＣＣＨ  ｆｏｒｍａｔ  ２／２ａ／２ｂについて、サイクリックプレフィックス（ＣＰ，Ｃｙｃｌｉｃ  Ｐｒｅｆｉｘ）にて
0005592569.tif 000016
と定義し；
ＰＵＣＣＨ  ｆｏｒｍａｔ  ２について、拡張ＣＰにて
0005592569.tif 000017
と定義する。
【０００９】
ＬＴＥ−ＡシステムにおいてＰＵＣＣＨの電力制御は、ＬＴＥ  Ｒｅｌ−８／９システムの電力制御方法をできる限りフォローするが、ＬＴＥ−Ａシステムは、ＬＴＥ  Ｒｅｌ−８／９システムに比べてＰＵＣＣＨ  ｆｏｒｍａｔ  ３伝送方案と複数のキャリア・アグリゲーションシーンに適するＰＵＣＣＨ  Ｆｏｒｍａｔ  １ｂ  ｗｉｔｈ  ｃｈａｎｎｅｌ  ｓｅｌｅｃｔｉｏｎ伝送方案を加えた。
加えたＰＵＣＣＨ  ｆｏｒｍａｔ  ３伝送方案について、ＵＥが、２アンテナポートによる伝送を配置されるか、または、ＵＥが、１１ビットより大きいＡＣＫ／ＮＡＣＫおよび／またはＳＲ情報を伝送する場合、
0005592569.tif 000018
と定義し、他の状況において、
0005592569.tif 000019
と定義する。
加えた複数のキャリア・アグリゲーションシーンに適するＰＵＣＣＨ  Ｆｏｒｍａｔ  １ｂ  ｗｉｔｈ  ｃｈａｎｎｅｌ  ｓｅｌｅｃｔｉｏｎ伝送方案について、
0005592569.tif 000020
と定義する。
ＡＣＫ／ＮＡＣＫ情報のＰＵＣＣＨでの伝送について、ＰＵＣＣＨ伝送ビット数に対応する電力オフセットの計算は、主に、
0005592569.tif 000021
より決められる。
現在、ＵＥが実際に受信した伝送ブロック（ＴＢ，Ｔｒａｎｓｐｏｒｔ  Ｂｌｏｃｋ）個数およびダウンリンクＳＰＳ（Ｓｅｍｉ−Ｐｅｒｓｉｓｔｅｎｃｅ  Ｓｃｈｅｄｕｌｅ：半持続的スケジューリング）にリリースを指示したＰＤＣＣＨの個数に基づき
0005592569.tif 000022
を確認するとすでに定義している。
このようにすれば、ＵＥのＰＵＣＣＨでの送信電力と実際にスケジューリングするダウンリンクキャリアとダウンリンクサブフレーム数の対応化をできる限り確保でき、電力浪費を避ける。
【発明の概要】
【発明が解決しようとする課題】
【００１０】
しかし、上述の技術に、以下の技術問題がある。
ＵＥが配置に基づき、アップリンクサブフレームにてフィードバックしなければならないオリジナルＡＣＫ／ＮＡＣＫ情報ビット数がＰＵＣＣＨ  ｆｏｒｍａｔ  １ｂ  ｗｉｔｈ  ｃｈａｎｎｅｌ  ｓｅｌｅｃｔｉｏｎまたはＰＵＣＣＨ  ｆｏｒｍａｔ  ３伝送方案の最大容量を超えると確認する場合、ＵＥは、オリジナルＡＣＫ／ＮＡＣＫ情報に対しバンドリングを行わなければならない。
この際、ＵＥが実際に伝送したバンドリング実行後のＡＣＫ／ＮＡＣＫ情報ビット数は、ＵＥが実際に受信した伝送ブロック個数より小さい可能性が大きい。
もし、この時、ＵＥがＰＵＣＣＨの送信電力を計算する場合、これまでと同様に、実際に受信した伝送ブロック個数により計算する。
よって、ＵＥのＰＵＣＣＨにおける送信電力は、実際の伝送に必要な送信電力より大きくなり、電力浪費をもたらす。
【課題を解決するための手段】
【００１１】
本発明は、ユーザー設備の電力利用率を向上させる、ロング・ターム・エボリューション・アドバンストシステムにおけるアップリンク物理制御チャネルＰＵＣＣＨの電力制御方法および設備を提供する。
【００１２】
本発明に係るロング・ターム・エボリューション・アドバンストシステムにおけるアップリンク物理制御チャネルＰＵＣＣＨの電力制御方法は、
ユーザー設備ＵＥがダウンリンクデータを受信し、かつ、肯定応答（ＡＣＫ）／否定応答（ＮＡＣＫ）情報を生成するステップと、
前記ＵＥが前記生成したＡＣＫ／ＮＡＣＫ情報に対しバンドリングを行わなければならないか否かを確認するステップと、
前記ＵＥが前記生成したＡＣＫ／ＮＡＣＫ情報に対しバンドリングを行わなければならないと確認後、ＡＣＫ／ＮＡＣＫ情報のバンドリング方式に基いてＡＣＫ／ＮＡＣＫビット数パラメータ値ｎＨＡＲＱを確認するステップと、
前記ＵＥがＡＣＫ／ＮＡＣＫビット数パラメータ値ｎＨＡＲＱに基いてＰＵＣＣＨ伝送ビット数に対応する電力オフセットを確認し、この電力オフセットに基づき、ＰＵＣＣＨの送信電力を確認し、かつ、前記送信電力によりＰＵＣＣＨにてバンドリング実行後のＡＣＫ／ＮＡＣＫ情報を送信するステップと、
を備える。
【００１３】
また、本発明に係るユーザー設備ＵＥは、
ダウンリンクデータを受信し、かつ、肯定応答（ＡＣＫ）／否定応答（ＮＡＣＫ）情報を生成するフィードバック情報生成ユニットと、
前記生成したＡＣＫ／ＮＡＣＫ情報に対しバンドリングを行わなければならないか否かを確認するバンドリング確認ユニットと、
前記生成したＡＣＫ／ＮＡＣＫ情報に対しバンドリングを行わなければならないと確認後、ＡＣＫ／ＮＡＣＫ情報のバンドリング方式に基いてＡＣＫ／ＮＡＣＫビット数パラメータ値ｎＨＡＲＱを確認するパラメータ確認ユニットと、
前記ＡＣＫ／ＮＡＣＫビット数パラメータ値ｎＨＡＲＱに基いてＰＵＣＣＨ伝送ビット数に対応する電力オフセットを確認し、前記電力オフセットに基いてＰＵＣＣＨの送信電力を確認し、かつ、前記送信電力によりＰＵＣＣＨにてバンドリング実行後のＡＣＫ／ＮＡＣＫ情報を送信するデータ送信ユニットと、
を備える。
【発明の効果】
【００１４】
本発明において、ユーザー設備ＵＥは、
配置したＮ個ダウンリンクキャリアのＭ個ダウンリンクサブフレームにてデータを受信し、かつ、受信状況に基いて応答ＡＣＫ／否定応答（ＮＡＣＫ）情報を生成するステップと、
生成したＡＣＫ／ＮＡＣＫ情報に対しバンドリングを行わなければならないか否かを確認し、生成したＡＣＫ／ＮＡＣＫ情報に対しバンドリングを行わなければならないと確認した場合、予め設定したバンドリング方式により当該ＡＣＫ／ＮＡＣＫ情報に対しバンドリングを行い、かつ、バンドリング方式が確認したＡＣＫ／ＮＡＣＫビット数パラメータ値ｎＨＡＲＱに基づくステップと、
そして、ＡＣＫ／ＮＡＣＫビット数パラメータ値ｎＨＡＲＱに基づき、ＰＵＣＣＨ伝送ビット数に対応する電力オフセットを確認し、この電力オフセットに基づき、ＰＵＣＣＨの送信電力を確認し、かつ、当該送信電力によりＰＵＣＣＨにてバンドリング実行後のＡＣＫ／ＮＡＣＫ情報を送信するステップと、
を備える。
よって、バンドリング実行後のＡＫ／ＮＡＣＫ情報ビット数多くの状況において実際に受信した伝送ブロック個数よりはるかに小さいため、ＡＣＫ／ＮＡＣＫ情報のバンドリング方式に基いてＡＣＫ／ＮＡＣＫビット数パラメータ値ｎＨＡＲＱを確認し、ＵＥの実際の送信電力と実際の送信情報のビット数が一致することをできる限り確保する。
さらに、合理的にＵＥのＰＵＣＣＨにおける送信電力を確認し、電力浪費を避け、ＵＥ電力利用率を向上させることは明らかである。
【図面の簡単な説明】
【００１５】
【図１】従来の技術において単一スペクトルシステムを示す図。
【図２】従来の技術においてスペクトルアグリゲーションシステムを示す図。
【図３】本発明に係る実施形態が提供する方法のフロー。
【図４Ａ】本発明に係る実施例１において情報のバンドリングを示す図。
【図４Ｂ】本発明に係る実施例２において情報のバンドリングを示す図。
【図４Ｃ】本発明の実施例２において別の情報のバンドリングを示す図。
【図４Ｄ】本発明の実施例２においてさらに別の情報のバンドリングを示す図。
【図４Ｅ】本発明の実施例３において情報のバンドリングを示す図。
【図５】ＵＥ設備の構造を示す図。
【発明を実施するための形態】
【００１６】
ＵＥのＰＵＣＣＨにおける信号送信電力を節約し、ＵＥの電力利用率を向上させるため、本発明に係る実施形態は、ロング・ターム・エボリューション・アドバンストシステムにおけるアップリンク物理制御チャネルＰＵＣＣＨの電力制御方法を提供する。
この方法において、ＵＥが生成したＡＣＫ／ＮＡＣＫ情報をバンドリングしなければならない場合、バンドリング方式に基いてＰＵＣＣＨ伝送ビット数に対応する電力オフセットを計算するＡＣＫ／ＮＡＣＫビット数パラメータ値ｎＨＡＲＱを確認する。
また、ｎＨＡＲＱに基いてＰＵＣＣＨ伝送ビット数に対応する電力オフセットを確認し、この電力オフセットに基づきＰＵＣＣＨの送信電力を確認し、かつ、この送信電力によりＰＵＣＣＨにてバンドリング実行後のＡＣＫ／ＮＡＣＫ情報を送信する。
【００１７】
図３は、本発明に係る実施形態においてロング・ターム・エボリューション・アドバンストシステムにおけるアップリンク物理制御チャネルＰＵＣＣＨの電力制御方法は、ステップ３０、ステップ３１、ステップ３２およびステップ３３を備える。
【００１８】
ステップ３０において、ＵＥは、ダウンリンクデータを受信し、かつ、ＡＣＫ／ＮＡＣＫ情報を生成する。
【００１９】
ステップ３１において、ＵＥは、生成したＡＣＫ／ＮＡＣＫ情報に対しバンドリングを行わなければならないか否かを確認する。
【００２０】
ステップ３２において、ＵＥが生成したＡＣＫ／ＮＡＣＫ情報に対しバンドリングを行わなければならないと確認後、予め設定したバンドリング方式によりＡＣＫ／ＮＡＣＫ情報に対しバンドリングを行い、かつ、バンドリング方式に基いて電力オフセットを計算するＡＣＫ／ＮＡＣＫビット数パラメータ値ｎＨＡＲＱを確認し、前記電力オフセットは、ＰＵＣＣＨ伝送ビット数に対応する電力オフセットである。
【００２１】
ステップ３３において、ＵＥがステップ３２において確認したｎＨＡＲＱに基いてＰＵＣＣＨ伝送ビット数に対応する電力オフセットを確認し、この電力オフセットに基づきＰＵＣＣＨの送信電力を確認する。
具体的な確認方法として、背景技術における公式１、かつ、確認した電力がＰＵＣＣＨにてバンドリング送信後のＡＣＫ／ＮＡＣＫ情報を用いて良い。
【００２２】
ステップ３１において、ＦＤＤシステムの場合、ＵＥがアップリンクサブフレームにてフィードバックしなければならないＡＣＫ／ＮＡＣＫ情報ビット数は、Ｎ＋  Ｎ０である。
ここで、Ｎは、ＵＥに配置したダウンリンクキャリア数であり、Ｎ０は、ＵＥに配置したＮ個ダウンリンクキャリアにおける伝送モデルをマルチコードワードとするダウンリンクキャリア数である。
ＴＤＤシステムの場合、ＵＥがアップリンクサブフレームにてフィードバックしなければならないＡＣＫ／ＮＡＣＫ情報ビット数は、Ｍ×（Ｎ＋  Ｎ０）である。
ここで、Ｎは、ＵＥに配置したダウンリンクキャリア数であり、Ｎ０は、ＵＥに配置したＮ個ダウンリンクキャリアにおける伝送モデルをマルチコードワードとするダウンリンクキャリア数であり、Ｍは、ＵＥが同一アップリンクサブフレームにてフィードバックしなければならないＡＣＫ／ＮＡＣＫ情報のダウンリンクサブフレーム個数である。
異なるアップ・ダウンリンク配置およびアップリンクサブフレームに対してＭの値は、異なる。
表１に示すように、または異なるダウンリンクキャリアが同一のアップリンクサブフレームにおいて異なるＭ値に対応する場合、ＵＥがアップリンクサブフレームにてフィードバックしなければならないＡＣＫ／ＮＡＣＫ情報ビット数は、
0005592569.tif 000023
である。
ここで、Ｍｉは、ＵＥが第ｉ個ダウンリンクキャリアにて現在のアップリンクサブフレームにてフィードバックしなければならないＡＣＫ／ＮＡＣＫ情報のダウンリンクサブフレーム個数である。
【００２３】
もし、ＵＥがフィードバックしなければならないＡＣＫ／ＮＡＣＫ情報のビット数が現在のＰＵＣＣＨ  ｆｏｒｍａｔに対応する最大伝送容量（例、２０ビット）を超えていれば、ＡＣＫ／ＮＡＣＫ情報に対しバンドリングを行わなければならず、フィードバックビット数を最大伝送容量より小さくまたは等しくさせる。
ビット数が最大伝送容量を超えていなければ、ＡＣＫ／ＮＡＣＫ情報に対しバンドリングを行わなくてもよい。
【００２４】
ステップ３２において、バンドリング方式は、空間バンドリング方式、時間領域バンドリング方式、周波数領域バンドリング方式、ＵＥが正確に受信したデータパケット／伝送ブロック個数を示すバンドリング方式のうちの１つまたは任意の組み合わせである。
【００２５】
ステップ３２において、ＡＣＫ／ＮＡＣＫ情報のバンドリング方式に基づく電力オフセットを計算するＡＣＫ／ＮＡＣＫビット数パラメータ値ｎＨＡＲＱの確認は、以下の３つの方法がある。
【００２６】
〈第１方法〉
ＵＥは、バンドリング実行後のＡＣＫ／ＮＡＣＫ情報ビット数に基づき、前記ＡＣＫ／ＮＡＣＫビット数パラメータ値ｎＨＡＲＱを確認する。
【００２７】
〈第２方法〉
ＵＥは、ＡＣＫ／ＮＡＣＫ情報のバンドリング方式、および、ＵＥがダウンリンクデータを受信するダウンリンクキャリアおよび／またはダウンリンクサブフレームに基づき、ＡＣＫ／ＮＡＣＫビット数パラメータ値ｎＨＡＲＱを確認する。
【００２８】
〈第３方法〉
ＵＥは、ＡＣＫ／ＮＡＣＫ情報のバンドリング方式、前記ＵＥがダウンリンクデータを受信するダウンリンクキャリアおよび／またはダウンリンクサブフレーム、および、ＵＥがダウンリンクデータをまだ受信していないがデータ損失があると判断するダウンリンクキャリアおよび／またはダウンリンクサブフレームに基づき、ＡＣＫ／ＮＡＣＫビット数パラメータ値ｎＨＡＲＱを確認する。
【００２９】
前記第２方法と第３方法におけるダウンリンクデータは、物理ダウンリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）が伝送するデータと、ダウンリンクＳＰＳリソースのリリースを指示する物理ダウンリンク制御チャネルＰＤＣＣＨが伝送するデータとを備える。
【００３０】
〈前記第１方法を用いる場合〉
【００３１】
もし、ＵＥが空間バンドリング方式を用いる場合、
ＵＥは、バンドリング実行後のＡＣＫ／ＮＡＣＫ情報ビット数がＮ×Ｍであると確認する。
ここで、前記Ｎは、前記ＵＥが配置するダウンリンクキャリア数であり、前記Ｍは、前記ＵＥが現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱがＮ×Ｍであると確認する。
【００３２】
または、もし、ＵＥが空間バンドリング方式を用いる場合、
ＵＥは、バンドリング実行後のＡＣＫ／ＮＡＣＫ情報ビット数は
0005592569.tif 000024
であると確認する。
ここで、前記Ｎは、ＵＥが配置したダウンリンクキャリア数であり、前記Ｍｉは、ＵＥが第ｉ個ダウンリンクキャリアにて現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱが
0005592569.tif 000025
であると確認する。
【００３３】
または、もし、ＵＥが空間バンドリング＋周波数領域バンドリング方式を用いる場合、
ＵＥは、バンドリング実行後のＡＣＫ／ＮＡＣＫ情報ビット数がＭであると確認する。
ここで、前記Ｍは、ＵＥが現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱがＭであると確認する。
【００３４】
もし、前記ＵＥが空間バンドリング＋周波数領域バンドリング方式を用いる場合、
ＵＥは、バンドリング実行後のＡＣＫ／ＮＡＣＫ情報ビット数がＬであると確認する。
ここで、Ｌは、ＵＥがＮ個ダウンリンクキャリアにてＭ個ダウンリンクサブフレームのＡＣＫ／ＮＡＣＫ情報に対し空間バンドリングと時間領域バンドリングを実行後に獲得した情報ビット数であり、前記Ｎは、ＵＥが配置したダウンリンクキャリア数であり、前記Ｍは、ＵＥが現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱはＬであると確認する。
【００３５】
もし、前記ＵＥが空間バンドリング＋ＵＥが正確に受信したデータパケット個数を示すバンドリング方式を用いる場合、
ＵＥは、バンドリング実行後のＡＣＫ／ＮＡＣＫ情報ビット数がＫであると確認する。
ここで、Ｋは、ＵＥが正確に受信したデータパケット個数を示す（即ち、正確に受信したＰＤＳＣＨとダウンリンクＳＰＳリソースのリリースを指示するＰＤＣＣＨの個数の和）情報ビット数である。
よって、ＵＥは、ＡＣＫ／ＮＡＣＫビット数パラメータ値ｎＨＡＲＱがＫであると確認する。
【００３６】
上述の状況において、ＦＤＤシステムについてＭ＝１、ＴＤＤシステムについてＭを１より小さくなく、かつ、４より大きくない整数である。
【００３７】
〈前記第２方案を用いる場合〉
【００３８】
もし、前記ＵＥが空間バンドリング方式を用いる場合、
ＵＥが、ダウンリンクデータを受信するダウンリンクキャリアおよび／またはダウンリンクサブフレームに基づき、ＵＥが受信した伝送ブロック個数とダウンリンクＳＰＳリソースのリリースを指示するＰＤＣＣＨ個数との総計がＳであると確認する。
また、ＵＥが受信した伝送モデルをマルチコードワードとし、かつ、同時にマルチコードワードをスケジューリングするＰＤＳＣＨ個数はＳ１であると確認する。
よって、ＵＥは、ＡＣＫ／ＮＡＣＫビット数パラメータ値ｎＨＡＲＱはＳ−Ｓ１であると確認する。
【００３９】
もし、前記ＵＥが空間バンドリング＋周波数領域バンドリング方式を用いる場合、
ＵＥは、ダウンリンクデータを受信するダウンリンクキャリアおよび／またはダウンリンクサブフレームに基づき、ＵＥがＭ個ダウンリンクサブフレームにて伝送ブロックおよび／またはダウンリンクＳＰＳリソースのリリースを指示するＰＤＣＣＨを受信するダウンリンクサブフレーム個数がＭ１であると確認する。
ここで、前記Ｍは、ＵＥが現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱがＭ１であると確認する。
【００４０】
もし、前記ＵＥが空間バンドリング＋周波数領域バンドリング方式を用いる場合、
ＵＥは、ダウンリンクデータを受信するダウンリンクキャリアおよび／またはダウンリンクサブフレームに基づき、ＵＥがＮ１個ダウンリンクキャリアでのＭ個ダウンリンクサブフレームのＡＣＫ／ＮＡＣＫ情報に対し空間バンドリングと時間領域バンドリングを実行後に獲得した情報ビット数がＬ１であると確認する。
ここで、前記Ｎ１個ダウンリンクキャリアは、ＵＥが伝送ブロックおよび／またはダウンリンクＳＰＳリソースのリリースを指示するＰＤＣＣＨを受信するダウンリンクキャリアであり、前記Ｍは、ＵＥが現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱがＬ１であると確認する。
【００４１】
もし、前記ＵＥが空間バンドリング＋ＵＥが正確に受信したデータパケット個数を示すバンドリング方式を用いる場合、
ＵＥは、ダウンリンクデータを受信するダウンリンクキャリアおよび／またはダウンリンクサブフレームに基づき、ＵＥが正確に受信したデータパケット個数を示す情報ビット数がＫであると確認する。
よって、ＵＥは、ＡＣＫ／ＮＡＣＫビット数パラメータ値ｎＨＡＲＱがＫであると確認する。
【００４２】
〈前記第３方案を用いる場合〉
【００４３】
もし、前記ＵＥが空間バンドリング方式を用いる場合、
ＵＥは、ダウンリンクデータを受信するダウンリンクキャリアおよび／またはダウンリンクサブフレームに基づき、ＵＥが受信した伝送ブロック個数とダウンリンクＳＰＳリソースのリリースを指示するＰＤＣＣＨ個数との総計がＳであると確認する。
また、ＵＥが受信した伝送モデルがマルチコードワードであり、かつ、同時にマルチコードワードをスケジューリングするＰＤＳＣＨ個数がＳ１であると確認する。
また、ＵＥがダウンリンクデータをまだ受信していないがデータ損失があると判断するダウンリンクキャリアおよび／またはダウンリンクサブフレームに基づき、ＵＥがパケットロスと判断するＰＤＳＣＨ個数とパケットロスと判断するダウンリンクＳＰＳリソースのリリースを指示するＰＤＣＣＨ個数との総計がＰであると確認する。
よって、ＵＥは、ＡＣＫ／ＮＡＣＫビット数パラメータ値ｎＨＡＲＱがＳ−Ｓ１＋Ｐであると確認する。
【００４４】
もし、前記ＵＥが空間バンドリング＋周波数領域バンドリング方式を用いる場合、
ＵＥは、ダウンリンクデータを受信するダウンリンクキャリアおよび／またはダウンリンクサブフレームに基づき、ＵＥがＭ個ダウンリンクサブフレームにて伝送ブロックおよび／またはダウンリンクＳＰＳリソースのリリースを指示するＰＤＣＣＨを受信するダウンリンクサブフレーム個数がＭ１であると確認する。
また、ＵＥは、ダウンリンクデータをまだ受信していないがデータ損失があると判断するダウンリンクキャリアおよび／またはダウンリンクサブフレームに基づき、ＵＥがＭ個ダウンリンクサブフレームにてデータをまだ受信していないがパケットロスと判断するダウンリンクサブフレーム個数がＰ１であると確認する。
ここで、前記Ｍは、ＵＥが現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱがＭ１＋Ｐ１であると確認する。
【００４５】
もし、前記ＵＥが空間バンドリング＋周波数領域バンドリング方式を用いる場合、
ＵＥは、ダウンリンクデータを受信するダウンリンクキャリアおよび／またはダウンリンクサブフレーム、およびＵＥがダウンリンクデータをまだ受信していないがデータ損失があると判断するダウンリンクキャリアおよび／またはダウンリンクサブフレームに基づき、ＵＥがＮ２個ダウンリンクキャリアでのＭ個ダウンリンクサブフレームのＡＣＫ／ＮＡＣＫ情報に対し空間バンドリングと時間領域バンドリングを実行後に獲得した情報ビット数がＬ２であると確認する。
ここで、前記Ｎ２個ダウンリンクキャリアは、ＵＥが伝送ブロックおよび／またはダウンリンクＳＰＳリソースのリリースを指示するＰＤＣＣＨを受信するダウンリンクキャリア、およびＵＥがデータをまだ受信していないがパケットロスと判断するダウンリンクキャリアであり、前記Ｍは、ＵＥが現在のアップリンクサブフレームにてフィードバックしなければならないＡＣＫ／ＮＡＣＫ情報のダウンリンクサブフレーム個数である。
よって、ＵＥは、ＡＣＫ／ＮＡＣＫビット数パラメータ値ｎＨＡＲＱがＬ２であると確認する。
【００４６】
もし、前記ＵＥが空間バンドリング＋ＵＥが正確に受信したデータパケット／伝送ブロック個数を示すバンドリング方式を用いる場合、
ＵＥは、ダウンリンクデータを受信するダウンリンクキャリアおよび／またはダウンリンクサブフレーム、およびＵＥがダウンリンクデータをまだ受信していないがデータ損失があると判断するダウンリンクキャリアおよび／またはダウンリンクサブフレームに基づき、ＵＥが正確に受信したデータパケット個数を示す情報ビット数がＫであると確認する。
よって、ＵＥは、ＡＣＫ／ＮＡＣＫビット数パラメータ値ｎＨＡＲＱがＫであると確認する。
【００４７】
ステップ３１において、前記ＵＥが前記生成したＡＣＫ／ＮＡＣＫ情報に対しバンドリングを行わなくてもよいと確認する場合、
前記ＵＥは、ＵＥが受信した伝送ブロックとダウンリンクＳＰＳリソースのリリースを指示するＰＤＣＣＨとのようなデータの基いてＡＣＫ／ＮＡＣＫビット数パラメータ値ｎＨＡＲＱを確認できる。
例えば、前記ＵＥは、ＡＣＫ／ＮＡＣＫビット数パラメータ値ｎＨＡＲＱがＳであると確認する。
ここで、Ｓは、ＵＥが受信した伝送ブロック個数とダウンリンクＳＰＳリソースのリリースを指示するＰＤＣＣＨ個数との総計である。
また、当該ＡＣＫ／ＮＡＣＫビット数パラメータ値ｎＨＡＲＱに基いてＰＵＣＣＨ伝送ビット数に対応する電力オフセットを確認し、この電力オフセットに基いてＰＵＣＣＨの送信電力を確認し、当該送信電力によりＰＵＣＣＨにてステップ３０において生成したＡＣＫ／ＮＡＣＫ情報を送信する。
【００４８】
または、前記ＵＥは、ＵＥが受信した伝送ブロックとダウンリンクＳＰＳリソースのリリースを指示するＰＤＣＣＨ、ＵＥがパケットロスと判断する伝送ブロック／ＰＤＳＣＨ、およびＵＥがパケットロスと判断するダウンリンクＳＰＳリソースのリリースを指示するＰＤＣＣＨのようなデータに基いてＡＣＫ／ＮＡＣＫビット数パラメータ値ｎＨＡＲＱを確認できる。
例えば、前記ＵＥは、ＡＣＫ／ＮＡＣＫビット数パラメータ値ｎＨＡＲＱは、Ｓ＋Ｐであると確認する。
ここで、Ｓは、ＵＥが受信した伝送ブロック個数とダウンリンクＳＰＳリソースのリリースを指示するＰＤＣＣＨ個数との総計であり、Ｐは、ＵＥがパケットロスと判断する伝送ブロック／ＰＤＳＣＨ個数とパケットロスと判断するダウンリンクＳＰＳリソースのリリースを指示するＰＤＣＣＨ個数との総計である。
また、ＡＣＫ／ＮＡＣＫビット数パラメータ値ｎＨＡＲＱに基いてＰＵＣＣＨ伝送ビット数に対応する電力オフセットを確認し、この電力オフセットに基いてＰＵＣＣＨの送信電力を確認し、当該送信電力によりＰＵＣＣＨにてステップ３０において生成したＡＣＫ／ＮＡＣＫ情報を送信する。
【００４９】
好ましくは、ステップ３２において前記ＵＥがＡＣＫ／ＮＡＣＫビット数パラメータ値ｎＨＡＲＱを確認後、ステップ３３においてＰＵＣＣＨ伝送ビット数に対応する電力オフセットを確認前に、もし、ＵＥはＡＣＫ／ＮＡＣＫ情報を送信する、ＳＲサブフレームであるアップリンクサブフレームがを利用し、かつ、ＳＲ情報とＡＣＫ／ＮＡＣＫ情報をジョイントコーディング方式により送信すれば、電力オフセットを計算するＡＣＫ／ＮＡＣＫビット数パラメータ値ｎＨＡＲＱに１を加える。
ステップ３３において、ＵＥは、１を加えた後のｎＨＡＲＱに基いてＰＵＣＣＨ伝送ビット数に対応する電力オフセットを確認し、かつ、この電力オフセットに基いてＰＵＣＣＨの送信電力を確認し、当該送信電力によりＰＵＣＣＨにてバンドリング実行後のＡＣＫ／ＮＡＣＫ情報を送信する。
または、ＰＵＣＣＨ伝送ビット数に対応する電力オフセットを確認する公式にＳＲビット数パラメータ値ｎＳＲを直接導入する。
もし、前記ＵＥが利用するＡＣＫ／ＮＡＣＫ情報を送信するアップリンクサブフレームをＳＲサブフレームであり、かつ、ＳＲ情報とＡＣＫ／ＮＡＣＫ情報をジョイントコーディング方式により送信すれば、ｎＳＲ＝１。
そうでなければ、ｎＳＲ＝０。
【００５０】
ステップ３３において、ＵＥはステップ３２において確認したｎＨＡＲＱに基づき、ＰＵＣＣＨ伝送ビット数に対応する電力オフセットを確認し、この電力オフセットに基づきＰＵＣＣＨの送信電力を確認する。
具体的な確認方法を、以下の公式に示す。
0005592569.tif 000026
ここで、
0005592569.tif 000027
は、上位層により配置されたＵＥの最大送信電力であり、パラメータ
0005592569.tif 000028
は、上位層により配置された異なるＰＵＣＣＨフォーマットがＰＵＣＣＨフォーマット１ａに対応する電力オフセットパラメータであり、
0005592569.tif 000029
は、ＰＵＣＣＨ伝送ビット数に対応する電力オフセットであり、
0005592569.tif 000030
は、チャネル状態情報（ＣＳＩ）ビット数パラメータ値であり、
0005592569.tif 000031
は、ＡＣＫ／ＮＡＣＫビット数パラメータ値であり、
0005592569.tif 000032
は、スケジューリング要求（ＳＲ）ビット数パラメータ値であり、
0005592569.tif 000033
は、ＰＵＣＣＨの送信電力目標値であり、
0005592569.tif 000034
は、電力制御コマンドワード累積量であり、
0005592569.tif 000035
は、ＵＥが測量したルート損失値であり、
0005592569.tif 000036
は、上位層に配置されたＵＥの送信ダイバシティ電力調整量である。
【００５１】
説明が必要な点として、前記ステップは、ＰＵＣＣＨによりＡＣＫ／ＮＡＣＫ情報を単独伝送し、ＡＣＫ／ＮＡＣＫ情報とＳＲ情報を同時伝送し、さらに、ＡＣＫ／ＮＡＣＫ情報と周期的なＣＳＩ等状況を同時伝送するのに適切であり、周期的ＣＳＩは、ＣＱＩ、ＰＭＩ、ＲＩ、ＰＴＩ等を備える。
【００５２】
以下に本発明について、詳細に記述する。
【００５３】
ＬＴＥ−Ａシステムにおいて、ＵＥがＮ（Ｎ≧１）個ダウンリンクキャリアと配置され、ＵＥがＰＵＣＣＨにてＡＣＫ／ＮＡＣＫを送信する場合、物理ダウンリンク制御チャネルＰＵＣＣＨの電力制御は、以下の方法を用いることができる。
【００５４】
ステップ１において、ＵＥは、配置したＮ個ダウンリンクキャリアにおける一部または全てのダウンリンクキャリアのＭ個ダウンリンクサブフレームにてデータを受信し、かつ、ＡＣＫ／ＮＡＣＫ情報を生成する。
ここで、Ｎ≧１、Ｍ≧１、前記Ｍ個ダウンリンクサブフレームにおいてデータのＡＣＫ／ＮＡＣＫ情報を同一のアップリンクサブフレームにて伝送する。
【００５５】
ステップ２において、ＵＥは、ＡＣＫ／ＮＡＣＫフィードバック情報に対しバンドリングを行うか否かを判断する。
【００５６】
ステップ３＿１において、もし、ＵＥがＡＣＫ／ＮＡＣＫ情報に対しバンドリングを行わなければならないと判断すれば、ＵＥは、ＡＣＫ／ＮＡＣＫバンドリング方式に基づきＡＣＫ／ＮＡＣＫビット数パラメータ値
0005592569.tif 000037
を確認し、ひいては、
0005592569.tif 000038
に基づき、ＰＵＣＣＨ伝送ビット数に対応する電力オフセットを確認する。
【００５７】
前記ダウンリンクデータは、ダイナミックＰＤＳＣＨ、ＳＰＳのＰＤＳＣＨ、およびダウンリンクＳＰＳにリリースを指示するＰＤＣＣＨを備える。
ＰＤＳＣＨは、シングルコードワード伝送モデルとも、マルチコードワード伝送モデルともできる。
マルチコードワード伝送モデルのＰＤＳＣＨは、１つの伝送ブロック／コードワードを備えることができ、２つの伝送ブロック／コードワードを備えることもできる。
【００５８】
ＡＣＫ／ＮＡＣＫバンドリング方式は、以下の各種バンドリング方式における以下の１つまたは任意の組み合わせ：空間バンドリング方式、時間領域バンドリング方式、周波数領域バンドリング方式、Ｋビット情報ＵＥが正確に受信したデータパケット個数を示すバンドリング方式でもよい。
【００５９】
ＵＥは、以下の３つの方法により、
0005592569.tif 000039
を確認できる。
【００６０】
〈方法１〉
ＵＥは、バンドリング実行後のＡＣＫ／ＮＡＣＫ情報ビット数に基づき、
0005592569.tif 000040
を確認する。
具体的に、以下に説明する。
【００６１】
空間バンドリング方式を用いる場合、
0005592569.tif 000041
ＦＤＤシステムについてＭ＝１、ＴＤＤシステムについて１≦Ｍ≦４、かつ、Ｍは、具体的にシステムのアップ・ダウンリンク配置により決められる。または、
【００６２】
空間バンドリング方式を用いる場合、
0005592569.tif 000042
Ｍｉは、前記ＵＥが第ｉ個ダウンリンクキャリアにて現在のアップリンクサブフレームにてフィードバックしなければならないＡＣＫ／ＮＡＣＫ情報のダウンリンクサブフレーム個数である。
ＦＤＤシステムであれば、Ｍｉ＝１、
ＴＤＤシステムであれば、１≦Ｍｉ≦４、かつ、Ｍｉは、具体的にシステムのアップ・ダウンリンク配置により決められる。
【００６３】
空間バンドリング＋周波数領域バンドリング方式を用いる場合、
0005592569.tif 000043
【００６４】
空間バンドリング＋時間領域バンドリング方式を用いる場合、
0005592569.tif 000044
ここで、Ｌは、ＵＥが各ダウンリンクキャリアにおけるＭ個ダウンリンクサブフレームのＡＣＫ／ＮＡＣＫ情報に対しそれぞれ空間バンドリングと時間領域バンドリングを実行後に獲得した情報ビット数である。
好ましくは、Ｌ＝３または４。
【００６５】
空間バンドリング＋Ｋビット情報は、ＵＥが正確に受信したデータパケット（ダイナミックＰＤＳＣＨ、ＳＰＳのＰＤＳＣＨ、およびダウンリンクＳＰＳリソースのリリースを指示するＰＤＣＣＨを備える）の個数を示す方式を用いる場合、
0005592569.tif 000045
Ｋ＝２、３または４。
好ましくは、Ｋを後の２つの値に設置する。
【００６６】
〈方法２〉
ＵＥは、ＡＣＫ／ＮＡＣＫ情報のバンドリング方式、およびＵＥがダウンリンクデータを実際に受信するダウンリンクキャリア数および／またはダウンリンクサブフレーム数に基いて、
0005592569.tif 000046
を確認する。
具体的に、以下に説明する。
【００６７】
空間バンドリング方式を用いる場合、
0005592569.tif 000047
ここで、Ｓ１＜Ｓ、Ｓは、ＵＥが受信した伝送ブロック個数とダウンリンクＳＰＳリソースのリリースを指示するＰＤＣＣＨ個数との総計であり、Ｓ１は、ＵＥが受信した伝送モデルがマルチコードワードであり、かつ、同時に２コードワードをスケジューリングしたＰＤＳＣＨ個数である。
【００６８】
空間バンドリング＋周波数領域バンドリング方式を用いる場合、
0005592569.tif 000048
ここで、Ｍ１≦Ｍ、Ｍ１は、ＵＥが前記Ｍ個ダウンリンクサブフレームにおいて、伝送ブロックおよび／またはダウンリンクＳＰＳリソースのリリースを指示するＰＤＣＣＨを受信するダウンリンクサブフレーム個数である。
【００６９】
空間バンドリング＋時間領域バンドリング方式を用いる場合、
0005592569.tif 000049
ここで、Ｌ１≦Ｌ、Ｌ１は、ＵＥがＮ１個ダウンリンクキャリアでのＭ個ダウンリンクサブフレームのＡＣＫ／ＮＡＣＫ情報に対し空間バンドリングと時間領域バンドリングを実行後の情報ビット数であり、かつ、前記Ｎ１個ダウンリンクキャリアは、伝送ブロックおよび／またはダウンリンクＳＰＳリソースのリリースを指示するＰＤＣＣＨを受信するダウンリンクキャリアである。
好ましくは、Ｌ１＝３または４。
【００７０】
空間バンドリン＋Ｋビット情報は、ＵＥが正確に受信したデータパケット個数を示す方式を用いる場合、
0005592569.tif 000050
ここで、Ｋは、ＵＥがＮ個ダウンリンクキャリアのＭ個ダウンリンクサブフレームにて正確に受信したデータパケットの個数（即ち、正確に受信したＰＤＳＣＨとダウンリンクＳＰＳリソースのリリースを指示するＰＤＤＣＨの総数）を示す情報ビット数であり、Ｋ＝２、３または４。
好ましくは、Ｋを後の２つの値に設置値に設置する。
【００７１】
〈方法３〉
ＵＥは、ＡＣＫ／ＮＡＣＫ情報のバンドリング方式、ＵＥがダウンリンクデータを実際に受信するダウンリンクキャリア数および／またはダウンリンクサブフレーム数、およびＵＥがいかなるダウンリンクデータもまだ受信していないがパケットロスがあると判断するダウンリンクキャリア数および／またはダウンリンクサブフレーム数に基いて
0005592569.tif 000051
を確認する。
具体的に、以下に説明する。
【００７２】
空間バンドリング方式を用いる場合、
0005592569.tif 000052
ここで、Ｓ１＜Ｓ、Ｓは、ＵＥが受信した伝送ブロック個数とダウンリンクＳＰＳリソースのリリースを指示するＰＤＣＣＨ個数との総計であり、Ｓ１は、ＵＥが受信した伝送モデルをマルチコードワードとし、かつ、同時に２コードワードをスケジューリングするＰＤＳＣＨ個数であり、Ｐは、ＵＥがパケットロスと判断するＰＤＳＣＨ個数とパケットロスと判断するダウンリンクＳＰＳリソースのリリースを指示するＰＤＣＣＨ個数との総計である。
【００７３】
空間バンドリング＋周波数領域バンドリング方式を用いる場合、
0005592569.tif 000053
ここで、Ｍ１≦Ｍ、Ｍ１は、ＵＥが前記Ｍ個ダウンリンクサブフレームにおいて、伝送ブロックおよび／またはダウンリンクＳＰＳリソースのリリースを指示するＰＤＣＣＨを受信するダウンリンクサブフレーム個数であり、Ｐ１は、ＵＥが前記Ｍ個ダウンリンクサブフレームにおいてデータを受信していないがパケットロスと判断するダウンリンクサブフレーム個数である。
【００７４】
空間バンドリング＋時間領域バンドリング方式を用いる場合、
0005592569.tif 000054
ここで、Ｌ２≦Ｌ、Ｌ２は、ＵＥがＮ２個ダウンリンクキャリアでのＭ個ダウンリンクサブフレームのＡＣＫ／ＮＡＣＫ情報に対し空間バンドリングと時間領域バンドリングを実行後に獲得した情報ビット数であり、かつ、前記Ｎ２個ダウンリンクキャリアは、ＵＥが伝送ブロックおよび／またはダウンリンクＳＰＳリソースのリリースを指示するＰＤＣＣＨを実際に受信するダウンリンクキャリア、およびＵＥがデータを受信していないがパケットロスと判断するダウンリンクキャリアである。
好ましくは、Ｌ２＝３または４。
【００７５】
空間バンドリング＋Ｋビット情報は、ＵＥが正確に受信したデータパケット個数を示す方式を用いる場合、
0005592569.tif 000055
ここで、Ｋは、ＵＥがＮ個ダウンリンクキャリアのＭ個ダウンリンクサブフレームにて正確に受信したデータパケットの個数（即ち正確に受信したＰＤＳＣＨとダウンリンクＳＰＳリソースのリリースを指示するＰＤＤＣＨの総数）を示す情報ビット数であり、Ｋ＝２、３または４。
好ましくは、Ｋを後の２つの値に設置値に設置する。
【００７６】
ステップ３＿２において、もし、ＵＥが前記ＡＣＫ／ＮＡＣＫ情報に対しバンドリングを行わなくてもよいと判断すれば、ＵＥは実際に受信したダウンリンクデータに基いて、
0005592569.tif 000056
を確認する。
ひいては、
0005592569.tif 000057
に基いてＰＵＣＣＨ伝送ビット数に対応する電力オフセットを確認する。
前記ダウンリンクデータは、ダイナミックＰＤＳＣＨ、ＳＰＳのＰＤＳＣＨおよびダウンリンクＳＰＳにリリースを指示するＰＤＣＣＨを備える。
ＰＤＳＣＨは、シングルコードワード伝送モデルでもよく、マルチコードワード伝送モデルでもよい。
マルチコードワード伝送モデルのＰＤＳＣＨは、１つの伝送ブロック／コードワードを備えてもよく、２つの伝送ブロック／コードワードを備えてもよい。
【００７７】
具体的に、方法Ａと方法Ｂにより、
0005592569.tif 000058
を確認できる。
【００７８】
方法Ａ、                      
0005592569.tif 000059
ここで、Ｓは、ＵＥが受信した伝送ブロック個数とダウンリンクＳＰＳリソースのリリースを指示するＰＤＣＣＨ個数との総計である。
【００７９】
方法Ｂ、                      
0005592569.tif 000060
ここで、Ｓは、ＵＥが受信した伝送ブロック個数とダウンリンクＳＰＳリソースのリリースを指示するＰＤＣＣＨ個数との総計であり、Ｐは、ＵＥがパケットロスと判断する伝送ブロック（またはＰＤＳＣＨ）個数およびパケットロスと判断するダウンリンクＳＰＳリソースのリリースを指示するＰＤＣＣＨ個数の総計である。
【００８０】
ステップ４において、ＵＥは、ＰＵＣＣＨ伝送ビット数に対応する電力オフセットに基いてＰＵＣＣＨの送信電力を確認し、ＰＵＣＣＨチャネルにて前記確認した送信電力によりＡＣＫ／ＮＡＣＫ情報を送信する。
【００８１】
ＰＵＣＣＨの具体的な伝送フォーマットは、ＰＵＣＣＨ  ｆｏｒｍａｔ  １ｂ  ｗｉｔｈ  ｃｈａｎｎｅｌ  ｓｅｌｅｃｔｉｏｎ伝送方案が使用するＰＵＣＣＨ  ｆｏｒｍａｔ  １ｂでもよく、ＰＵＣＣＨ  ｆｏｒｍａｔ  ３でもよい。
【００８２】
以上の過程において説明が必要な点として、もし、ＵＥが、フィードバックするＡＣＫ／ＮＡＣＫ情報のアップリンクサブフレームがＳＲサブフレーム（即ち、ＳＲの送信周期に基いてＳＲを送信できるアップリンクサブフレームであると確認する）であり、かつ、ＳＲ情報とＡＣＫ／ＮＡＣＫ情報をジョイントコーディング方式により送信すれば、ＳＲサブフレームにてＰＵＣＣＨ伝送ビット数に対応する電力オフセットを計算するビット数パラメータにＳＲビット数
0005592569.tif 000061
を備えることを考慮しなければならず、ＳＲビット数を
0005592569.tif 000062
に含ませることができる、ということである。
即ち、
0005592569.tif 000063
に１を加える。
または、ＰＵＣＣＨ伝送ビット数に対応する電力オフセットを計算する公式に
0005592569.tif 000064
パラメータを直接加え、ＳＲ伝送があるか否かを示す。
ＳＲ伝送がある場合は、
0005592569.tif 000065
ＳＲ伝送がない場合は、
0005592569.tif 000066
【実施例１】
【００８３】
ＵＥは、２つのダウンリンクキャリアを配置し、ダウンリンクキャリア１は、ダウンリンク主キャリアであり、ダウンリンクキャリア１と２は、全てマルチコードワード伝送モデルを用いる。
Ｍ＝２。
即ち、ＵＥは、現在のアップリンクサブフレームにて２つのダウンリンクサブフレームのＡＣＫ／ＮＡＣＫ情報をフィードバックしなければならない。
基地局は、ダウンリンクキャリア１にてダウンリンクサブフレーム１のみをスケジューリングし、ダウンリンクキャリア２にてダウンリンクサブフレーム１と２をスケジューリングしたが、ダウンリンクサブフレーム１にはパケットロスが発生する。
図４Ａが示すように、ＡＣＫ／ＮＡＣＫ情報は、ＰＵＣＣＨ  ｆｏｒｍａｔ  １ｂ  ｗｉｔｈ  ｃｈａｎｎｅｌ  ｓｅｌｅｃｔｉｏｎまたはＰＵＣＣＨ  ｆｏｒｍａｔ  ３伝送方案を用い、かつ、ＡＣＫ／ＮＡＣＫ情報に対し空間バンドリングを行わなければならない。
具体的なＰＵＣＣＨ電力制御フローを、以下に説明する。
【００８４】
ＵＥの配置に基づき、空間バンドリングを実行後、ＵＥは、４ビットＡＣＫ／ＮＡＣＫ情報をフィードバックしなければならない。
ＵＥは、実際に受信したデータに基づき、ダウンリンクキャリア１のダウンリンクサブフレーム１に対し１ビットＮＡＣＫ情報を生成し、ダウンリンクキャリア２のダウンリンクサブフレーム２に対し１ビットＡＣＫ情報を生成する。
ＵＥは、ＤＬ  ｇｒａｎｔにおけるＤＡＩを介してダウンリンクキャリア２のダウンリンクサブフレーム１のパケットロスを判断し、１ビットＮＡＣＫ／ＤＴＸ情報を生成する。
ＵＥが、ダウンリンクキャリア１のダウンリンクサブフレーム２にてデータを受信せず、１ビットＮＡＣＫ／ＤＴＸ情報を生成しフィードバック情報とすれば、ＵＥは、４ビットＡＣＫ／ＮＡＣＫ情報［ＮＡＣＫ／ＮＡＣＫ／ＤＴＸ，ＮＡＣＫ／ＤＴＸ，ＡＣＫ］を実際に送信する。
【００８５】
電力制御に方法１を用いる場合、
ＵＥは、Ｎ＝２、Ｍ＝２に設置一致することに基づき、空間バンドリング実行後に４ビットＡＣＫ／ＮＡＣＫ情報をフィードバックしなければならないと確認する。
よって、ＵＥは、いくつの伝送ブロックを実際に受信するかを考慮せず、ＡＣＫ／ＮＡＣＫビットパラメータ値
0005592569.tif 000067
であると確認する。
ＵＥは、
0005592569.tif 000068
に基づきＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００８６】
電力制御が方法２を用いる場合、
ＵＥは、４個の伝送ブロックを実際に受信する。
即ち、Ｓ＝４。
ここで、２マルチコードワード伝送を受信し、かつ、同時に２コードワードのＰＤＳＣＨをスケジューリングする。
即ち、Ｓ１＝２。
よって、ＵＥは、
0005592569.tif 000069
を確認し、
0005592569.tif 000070
に基いてＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００８７】
電力制御が方法３を用いる場合、
ＵＥは、４個の伝送ブロックを実際に受信する。
即ち、Ｓ＝４。
ここで、２マルチコードワード伝送を受信し、かつ、同時に２コードワードのＰＤＳＣＨをスケジューリングする。
即ち、Ｓ１＝２。
この他に、ＵＥはダウンリンクキャリア１のダウンリンクサブフレーム１にてＰＤＳＣＨ（マルチコードワード伝送モデルであり、１つまたは２つの伝送ブロックを備えることができる）の損失があると判断する。
即ち、Ｐ＝１。
よって、ＵＥは、
0005592569.tif 000071
を確認し、
0005592569.tif 000072
に基づきＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【実施例２】
【００８８】
ＵＥは、２つのダウンリンクキャリアを配置し、ダウンリンクキャリア１は、ダウンリンク主キャリアであり、ダウンリンクキャリア１は、マルチコードワード伝送モデルを用い、ダウンリンクキャリア２は、シングルコードワード伝送モデルを用いる。
Ｍ＝４。
即ち、ＵＥは、現在のアップリンクサブフレームにて４個ダウンリンクサブフレームのＡＣＫ／ＮＡＣＫ情報をフィードバックしなければならない。
基地局は、ダウンリンクキャリア１にてダウンリンクサブフレーム１と２をスケジューリングするが、ダウンリンクサブフレーム１と２には、パケットロスが発生する。
ダウンリンクキャリア２にてダウンリンクサブフレーム１、２および３をスケジューリングするが、ダウンリンクサブフレーム２は、パケットロスする。
図４Ｂ−図４Ｄが示すように、ＡＣＫ／ＮＡＣＫは、ＰＵＣＣＨ  ｆｏｒｍａｔ  １ｂ  ｗｉｔｈ  ｃｈａｎｎｅｌ  ｓｅｌｅｃｔｉｏｎまたはＰＵＣＣＨ  ｆｏｒｍａｔ  ３伝送方案を用い、かつ、ＡＣＫ／ＮＡＣＫ情報に対しバンドリングを行わなければならない。
具体的なＰＵＣＣＨ電力制御フローを、以下に説明する。
【００８９】
空間バンドリング＋周波数領域バンドリングを用いる場合、
図４Ｂが示すように、
ＵＥの配置に基づき、空間バンドリング＋周波数領域バンドリングを実行後、ダウンリンクキャリア１と２に対し、ＵＥは、４ビットＡＣＫ／ＮＡＣＫ情報をフィードバックしなければならない。
ＵＥは、空間バンドリングと周波数領域バンドリングに基いてダウンリンクサブフレーム１と３に対応するＡＣＫ／ＮＡＣＫ情報を確認する。
ＵＥが、ダウンリンクサブフレーム２とダウンリンクサブフレーム４にてデータパケットをまだ受信していないため、１ビットＮＡＣＫ／ＤＴＸ情報を生成しフィードバック情報とする。
よって、ＵＥは、４ビットＡＣＫ／ＮＡＣＫ情報［ＮＡＣＫ／ＤＴＸ，ＮＡＣＫ／ＤＴＸ，ＡＣＫ／ＮＡＣＫ／ＤＴＸ］を実際に送信する。
【００９０】
電力制御に方法１が用いられる場合、
ＵＥがいくつのデータパケットを実際に受信しようとも、
0005592569.tif 000073
即ち、ＵＥは、
0005592569.tif 000074
に基いてＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００９１】
電力制御に方法２が用いられる場合、ＵＥがダウンリンクサブフレーム１と３のデータパケットのみを実際に受信するため、即ち、Ｍ１＝２。
よって、
0005592569.tif 000075
即ち、ＵＥは、
0005592569.tif 000076
に基いてＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００９２】
電力制御に方法３が用いられる場合、ＵＥが実際にダウンリンクサブフレーム１と３のデータパケットのみを受信するため、即ち、Ｍ１＝２。
もし、ダウンリンクスケジューリング信令（ＤＬ  ｇｒａｎｔ）に時間領域ＤＡＩがあれば、ＵＥは、ダウンリンクサブフレーム２がパケットロスを判断できる。
即ち、Ｐ１＝１。
よって、
0005592569.tif 000077
即ち、ＵＥは、
0005592569.tif 000078
に基づきＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００９３】
空間バンドリング＋時間領域バンドリングを用いる場合、
図４Ｃが示すように、以下、空間バンドリング＋時間領域バンドリングの第１方式を説明する。
ダウンリンクキャリア１と２について、ＵＥは、サブフレームにおけるマルチコードワードに対し空間バンドリングを行い、かつ、各キャリアでのＭ個サブフレームに対し時間領域バンドリングを行う。
各キャリアに対し１ビットバンドリング実行後のＡＣＫ／ＮＡＣＫ情報を生成し、合わせてビットバンドリング実行後のＡＣＫ／ＮＡＣＫ情報、および２ビットセコンダリ情報（ＵＥにダイナミックダウンリンクデータのサブフレーム数の受信を指示する）を生成しなければならない。
よって、ＵＥは、Ｌ＝４ビットＡＣＫ／ＮＡＣＫ情報を実際に送信する。
または、空間バンドリング＋時間領域バンドリングの第２方式によれば、各ダウンリンクキャリアについて、ＵＥは、サブフレームにおけるマルチコードワードに対し空間バンドリングを行い、かつ、各キャリアに対し２ビット時間領域バンドリングのＡＣＫ／ＮＡＣＫ情報を生成する。
当該時間領域バンドリング情報は、当該ダウンリンクキャリアでの最初のスケジューリングサブフレームが連続して正確に受信するサブフレーム数を示し、合わせて４ビットバンドリング実行後のＡＣＫ／ＮＡＣＫ情報を生成しなければならない。
よって、ＵＥは、Ｌ＝４ビットＡＣＫ／ＮＡＣＫ情報を実際に送信する。
【００９４】
電力制御に方法１が用いられる場合、ＵＥが、いくつのデータパケットを実際に受信しようとも、
0005592569.tif 000079
即ち、ＵＥは、
0005592569.tif 000080
に基づきＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００９５】
電力制御に方法２が用いられる場合、ＵＥがダウンリンクキャリア２にてのみデータを実際に受信するため、時間領域バンドリング方式１について、Ｌ１は、対応ダウンリンクキャリア２のＡＣＫ／ＮＡＣＫ情報、および２ビットセコンダリ情報のみを含む。
即ち、Ｌ１＝３。
よって、
0005592569.tif 000081
即ち、ＵＥは、
0005592569.tif 000082
に基いてＰＵＣＣＨ伝送ビット数に対応する電力オフセットを計算する。
ひいては、ＰＵＣＣＨの送信電力を確認し、当該送信電力によりバンドリング実行後のＡＣＫ／ＮＡＣＫ情報を送信する。
時間領域バンドリング方式２について、Ｌ１は、ダウンリンクキャリア２に対応する２ビットがダウンリンクキャリア２での最初のスケジューリングサブフレームが連続して正確に受信し始めるサブフレーム数を示す時間領域バンドリングＡＣＫ／ＮＡＣＫ情報のみを含む。
即ち、Ｌ１＝２。
よって、
0005592569.tif 000083
即ち、ＵＥは、
0005592569.tif 000084
に基いてＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００９６】
電力制御に方法３が用いられる場合、ＵＥは、ダウンリンクキャリア２にてのみデータを実際に受信するが、ＵＥは、ＤＬ  ｇｒａｎｔにおける周波数領域ＤＡＩを介してダウンリンクキャリア１がパケットロスすると判断する。
即ち、時間領域バンドリング方式１について、Ｌ２は、データを受信するダウンリンクキャリアとパケットロスと判断するダウンリンクキャリアに対応するＡＣＫ／ＮＡＣＫ情報、および、２ビットセコンダリ情報を含む。
即ち、Ｌ２＝４。
よって、
0005592569.tif 000085
即ち、ＵＥは、
0005592569.tif 000086
に基づきＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
時間領域バンドリング方式２について、Ｌ２は、データを受信するダウンリンクキャリアとパケットロスと判断するダウンリンクキャリアに対応するダウンリンクキャリア２での最初のスケジューリングサブフレームが連続して正確に受信し始めるサブフレーム数を示す時間領域バンドリングＡＣＫ／ＮＡＣＫ情報を含む。
即ち、Ｌ２＝２＋２＝４。
よって、
0005592569.tif 000087
即ち、ＵＥは、
0005592569.tif 000088
に基いてＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【００９７】
空間バンドリングを用い＋Ｋビット情報は、ＵＥが正確に受信したデータパケット個数を示す場合、図４Ｄが示すように、
空間バンドリング実行後、ＵＥは、Ｋビットにより２つのダウンリンクキャリアの４ダウンリンクサブフレームにて正確に受信したデータパケット個数を示す。
例えば、Ｋ＝４の場合、“００００”は、２つのダウンリンクキャリアの４個ダウンリンクサブフレームにおいてデータパケット損失がある／いかなるデータパケットもまだ受信していない／受信したデータパケットが全て誤っていることを示す。
その他の状態では、それぞれＵＥは、前記状態で示す状況以外に、ＵＥが正確に受信したデータパケット個数（独立して１〜１５個データパケットを正確に受信することを示すことができ、もし、ＵＥがスケジューリングするデータパケットが１５個を超えれば、状態多重化を介してより多くのデータパケット個数を示さなければならない）を示す。
よって、ＵＥがダウンリンクキャリア１にデータパケット損失があると判断するため、ＵＥは、４ビットの“００００”情報を送信する。
【００９８】
電力制御に方法１または２または３が用いられる場合、
0005592569.tif 000089
即ち、ＵＥは、
0005592569.tif 000090
に基いてＰＵＣＣＨ伝送ビット数に対応する電力オフセットを計算する。
ひいては、ＰＵＣＣＨの送信電力を確認し、この送信電力によりバンドリング実行後のＡＣＫ／ＮＡＣＫ情報を送信する。
【実施例３】
【００９９】
ＵＥは、２つのダウンリンクキャリアを配置し、ダウンリンクキャリア１は、ダウンリンク主キャリアであり、ダウンリンクキャリア１と２は、すべてシングルコードワード伝送モデルを用いる。
Ｍ＝２。
即ち、ＵＥは、現在のアップリンクサブフレームにて２つのダウンリンクサブフレームのＡＣＫ／ＮＡＣＫ情報をフィードバックしなければならない。
基地局は、ダウンリンクキャリア１とダウンリンクキャリア２のそれぞれにおいてともにダウンリンクサブフレーム１と２をスケジューリングするが、ダウンリンクキャリア２でのダウンリンクサブフレーム１には、パケットロスが発生する。
図５が示すように、ＡＣＫ／ＮＡＣＫ情報はＰＵＣＣＨ  ｆｏｒｍａｔ  １ｂ  ｗｉｔｈ  ｃｈａｎｎｅｌ  ｓｅｌｅｃｔｉｏｎまたはＰＵＣＣＨ  ｆｏｒｍａｔ  ３伝送方案を用い、ＡＣＫ／ＮＡＣＫ情報に対していかなるバンドリングも行わなくてもよい。
具体的なＰＵＣＣＨ電力制御のフローを、以下に説明する。
【０１００】
ＵＥの配置に基づき、図４Ｅが示すように、ＵＥは、４ビットＡＣＫ／ＮＡＣＫ情報をフィードバックしなければならない。
ＵＥは、受信したデータに基づき、ダウンリンクキャリア１のダウンリンクサブフレーム１に対しＡＣＫ／ＮＡＣＫ情報をフィードバックする。
ＵＥは、ＤＬ  ｇｒａｎｔにおけるＤＡＩを介してダウンリンクキャリア２のダウンリンクサブフレーム１のパケットロスを判断し、１ビットＮＡＣＫ／ＤＴＸ情報を生成する。
よって、ＵＥは、４ビットＡＣＫ／ＮＡＣＫ情報［ＡＣＫ／ＮＡＣＫ／ＤＴＸ，ＮＡＣＫ，ＡＣＫ］を実際に送信する。
【０１０１】
電力制御に方法Ａが用いられる場合、ＵＥは、３伝送ブロックを実際に受信する。
即ち、Ｓ＝３。
よって、ＵＥは、
0005592569.tif 000091
を確認し、
0005592569.tif 000092
に基いてＰＵＣＣＨ伝送ビット数に対応する電力オフセットを計算する。
ひいては、ＰＵＣＣＨの送信電力を確認し、この送信電力により、ＡＣＫ／ＮＡＣＫ情報を送信する。
【０１０２】
電力制御に方法Ｂが用いられる場合、ＵＥは、３伝送ブロックを実際に受信する。
即ち、Ｓ＝３。
この他に、ＵＥは、ダウンリンクキャリア２のダウンリンクサブフレーム１に伝送ブロック損失があると判断する。
即ち、Ｐ＝１。
よって、ＵＥは、
0005592569.tif 000093
を確認し、
0005592569.tif 000094
に基いてＰＵＣＣＨ伝送ビット数に対応する電力オフセットを計算する。
ひいては、ＰＵＣＣＨの送信電力を確認し、この送信電力により、ＡＣＫ／ＮＡＣＫ情報を送信する。
【０１０３】
図５に示すように、本発明に係る実施形態により提供されるユーザー設備ＵＥは、
ダウンリンクデータを受信し、かつ、ＡＣＫ／ＮＡＣＫ情報を生成するフィードバック情報生成ユニット５０と、  
前記生成したＡＣＫ／ＮＡＣＫ情報に対しバンドリングを行わなければならないか否かを確認するバンドリング確認ユニット５１と、
前記生成したＡＣＫ／ＮＡＣＫ情報に対しバンドリングを行わなければならないと確認後、ＡＣＫ／ＮＡＣＫ情報のバンドリング方式に基いてＡＣＫ／ＮＡＣＫビット数パラメータ値ｎＨＡＲＱを確認するパラメータ確認ユニット５２と、
前記ＡＣＫ／ＮＡＣＫビット数パラメータ値ｎＨＡＲＱに基いてＰＵＣＣＨ伝送ビット数に対応する電力オフセットを確認し、前記電力オフセットに基いてＰＵＣＣＨの送信電力を確認し、かつ、送信電力によりＰＵＣＣＨにてバンドリング実行後のＡＣＫ／ＮＡＣＫ情報を送信するデータ送信ユニット５３と、
を備える。
【０１０４】
前記バンドリング方式は、空間バンドリング方式、時間領域バンドリング方式、周波数領域バンドリング方式、ＵＥが正確に受信したデータパケット／伝送ブロック個数を示すバンドリング方式の内の１つまたは任意の組み合わせである。
【０１０５】
１つの実施方式として、前記パラメータ確認ユニット５２は、バンドリング実行後のＡＣＫ／ＮＡＣＫ情報ビット数に基づき、ＡＣＫ／ＮＡＣＫビット数パラメータ値ｎＨＡＲＱを確認する。
具体的に、以下に説明する。
【０１０６】
空間バンドリング方式を用いる場合、バンドリング実行後のＡＣＫ／ＮＡＣＫ情報ビット数がＮ×Ｍであると確認する。
ここで、前記Ｎは、ＵＥが配置したダウンリンクキャリア数であり、前記Ｍは、ＵＥが現在のアップリンクサブフレームにてフィードバックしなければならないＡＣＫ／ＮＡＣＫ情報のダウンリンクサブフレーム個数である。
よって、前記パラメータ確認ユニット５２は、ＡＣＫ／ＮＡＣＫビット数パラメータ値ｎＨＡＲＱはＮ×Ｍであると確認する。
【０１０７】
または、空間バンドリング方式を用いる場合、バンドリング実行後のＡＣＫ／ＮＡＣＫ情報ビット数が
0005592569.tif 000095
であると確認する。
ここで、前記Ｎは、ＵＥが配置したダウンリンクキャリア数であり、前記Ｍｉは、ＵＥが第ｉ個ダウンリンクキャリアにて現在のアップリンクサブフレームにてフィードバックしなければならないＡＣＫ／ＮＡＣＫ情報のダウンリンクサブフレーム個数である。
よって、前記パラメータ確認ユニット５２は、ＡＣＫ／ＮＡＣＫビット数パラメータ値ｎＨＡＲＱは
0005592569.tif 000096
であると確認する。
【０１０８】
または、空間バンドリング＋周波数領域バンドリング方式を用いる場合、バンドリング実行後のＡＣＫ／ＮＡＣＫ情報ビット数がＭであると確認する。
ここで、前記Ｍは、ＵＥが現在のアップリンクサブフレームにてフィードバックしなければならないＡＣＫ／ＮＡＣＫ情報のダウンリンクサブフレーム個数である。
よって、前記パラメータ確認ユニット５２は、ＡＣＫ／ＮＡＣＫビット数パラメータｎＨＡＲＱ値はＭであると確認する。
【０１０９】
または、空間バンドリング＋時間領域バンドリング方式を用いる場合、バンドリング実行後のＡＣＫ／ＮＡＣＫ情報ビット数がＬであると確認する。
ここで、Ｌは、ＵＥがＮ個ダウンリンクキャリアにてＭ個ダウンリンクサブフレームのＡＣＫ／ＮＡＣＫ情報に対し空間バンドリングと時間領域バンドリングを実行後に獲得した情報ビット数であり、前記Ｎは、ＵＥが配置したダウンリンクキャリア数であり、前記Ｍは、ＵＥが現在のアップリンクサブフレームにてフィードバックしなければならないＡＣＫ／ＮＡＣＫ情報のダウンリンクサブフレーム個数である。
よって、前記パラメータ確認ユニット５２は、ＡＣＫ／ＮＡＣＫビット数パラメータ値ｎＨＡＲＱはＬであると確認する。
【０１１０】
または、空間バンドリング＋ＵＥが正確に受信したデータパケット／伝送ブロック個数を示すバンドリング方式を用いる場合、バンドリング実行後のＡＣＫ／ＮＡＣＫ情報ビット数がＫであると確認する。
ここで、Ｋは、ＵＥが正確に受信したデータパケット個数を示す（即ち、正確に受信したＰＤＳＣＨとダウンリンクＳＰＳリソースのリリースを指示するＰＤＣＣＨの個数の和）情報ビット数である。
よって、前記パラメータ確認ユニット５２は、ＡＣＫ／ＮＡＣＫビット数パラメータ値ｎＨＡＲＱはＫであると確認する。
【０１１１】
別の実施方式として、前記パラメータ確認ユニット５２は、ＡＣＫ／ＮＡＣＫ情報のバンドリング方式、およびＵＥがダウンリンクデータを受信するダウンリンクキャリアおよび／またはダウンリンクサブフレームに基づき、ＡＣＫ／ＮＡＣＫビット数パラメータ値ｎＨＡＲＱを確認する。
前記ダウンリンクデータは、物理ダウンリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）が伝送するデータ、ダウンリンクＳＰＳリソースのリリースを指示する物理ダウンリンク制御チャネルＰＤＣＣＨが伝送するデータを備える。
具体的に、以下に説明する。
【０１１２】
空間バンドリング方式を用いる場合、ダウンリンクデータを受信するダウンリンクキャリアおよび／またはダウンリンクサブフレームに基づき、ＵＥは、受信した伝送ブロック個数とダウンリンクＳＰＳリソースのリリースを指示するＰＤＣＣＨ個数との総計がＳであると確認する。
また、ＵＥが受信した伝送モデルをマルチコードワードとし、かつ、同時にマルチコードワードをスケジューリングするＰＤＳＣＨ個数がＳ１であると確認する。
よって、前記パラメータ確認ユニット５２は、前記ＡＣＫ／ＮＡＣＫビット数パラメータ値ｎＨＡＲＱはＳ−Ｓ１であると確認する。
【０１１３】
または、空間バンドリング＋周波数領域バンドリング方式を用いる場合、ダウンリンクデータを受信するダウンリンクキャリアおよび／またはダウンリンクサブフレームに基づき、ＵＥは、Ｍ個ダウンリンクサブフレームにて、伝送ブロックおよび／またはダウンリンクＳＰＳリソースのリリースを指示するＰＤＣＣＨを受信するダウンリンクサブフレーム個数がＭ１であると確認する。
ここで、前記Ｍは、ＵＥが現在のアップリンクサブフレームにてフィードバックしなければならないＡＣＫ／ＮＡＣＫ情報のダウンリンクサブフレーム個数である。
よって、前記パラメータ確認ユニット５２は、ＡＣＫ／ＮＡＣＫビット数パラメータ値ｎＨＡＲＱがＭ１であると確認する。
【０１１４】
または、空間バンドリング＋時間領域バンドリング方式を用いる場合、ダウンリンクデータを受信するダウンリンクキャリアおよび／またはダウンリンクサブフレームに基づき、ＵＥはＮ１個ダウンリンクキャリアでのＭ個ダウンリンクサブフレームのＡＣＫ／ＮＡＣＫ情報に対し空間バンドリングと時間領域バンドリングを実行後に獲得した情報ビット数がＬ１であると確認する。
ここで、前記Ｎ１個ダウンリンクキャリアは、伝送ブロックおよび／またはダウンリンクＳＰＳリソースのリリースを指示するＰＤＣＣＨを受信するダウンリンクキャリアであり、前記ＭはＵＥが現在のアップリンクサブフレームにてフィードバックしなければならないＡＣＫ／ＮＡＣＫ情報のダウンリンクサブフレーム個数である。
よって、前記パラメータ確認ユニット５２は、前記ＡＣＫ／ＮＡＣＫビット数パラメータ値ｎＨＡＲＱがＬ１であることを確認する。
【０１１５】
または、空間バンドリング＋ＵＥが正確に受信したデータパケット／伝送ブロック個数を示すバンドリング方式を用いる場合、ダウンリンクデータを受信するダウンリンクキャリアおよび／またはダウンリンクサブフレームに基づき、ＵＥが正確に受信したデータパケット個数を示す情報ビット数はＫであると確認する。
よって、前記パラメータ確認ユニット５２は、ＡＣＫ／ＮＡＣＫビット数パラメータ値ｎＨＡＲＱがＫであると確認する。
【０１１６】
さらに別の実施方式として、前記パラメータ確認ユニット５２は、以下のことに用いられる。
前記ＡＣＫ／ＮＡＣＫ情報のバンドリング方式、前記ＵＥがダウンリンクデータを受信するダウンリンクキャリアおよび／またはダウンリンクサブフレーム、および前記ＵＥがダウンリンクデータをまだ受信していないがデータ損失があると判断するダウンリンクキャリアおよび／またはダウンリンクサブフレームに基づき、ＡＣＫ／ＮＡＣＫビット数パラメータ値ｎＨＡＲＱを確認する。
前記ダウンリンクデータは、物理ダウンリンク共有チャネルＰＤＳＣＨが伝送するデータ、ダウンリンクＳＰＳリソースのリリースを指示する物理ダウンリンク制御チャネルＰＤＣＣＨが伝送するデータを備える。
具体的に、以下に説明する。
【０１１７】
空間バンドリング方式を用いる場合、ダウンリンクデータを受信するダウンリンクキャリアおよび／またはダウンリンクサブフレームに基づき、ＵＥが受信した伝送ブロック個数とダウンリンクＳＰＳリソースのリリースを指示するＰＤＣＣＨ個数との総計はＳであると確認する。
また、ＵＥが受信した伝送モデルをマルチコードワードとし、かつ、同時にマルチコードワードをスケジューリングするＰＤＳＣＨ個数はＳ１であると確認する。
かつ、ＵＥがダウンリンクデータをまだ受信していないがデータ損失があると判断するダウンリンクキャリアおよび／またはダウンリンクサブフレームに基づき、ＵＥがパケットロスと判断するＰＤＳＣＨ個数とパケットロスと判断するダウンリンクＳＰＳリソースのリリースを指示するＰＤＣＣＨ個数との総計がＰであると確認する。
よって、前記パラメータ確認ユニット５２は、ＡＣＫ／ＮＡＣＫビット数パラメータ値ｎＨＡＲＱはＳ−Ｓ１＋Ｐであると確認する。または、
【０１１８】
空間バンドリング＋周波数領域バンドリング方式を用いる場合、ダウンリンクデータを受信するダウンリンクキャリアおよび／またはダウンリンクサブフレームに基づき、ＵＥがＭ個ダウンリンクサブフレームにて、伝送ブロックおよび／またはダウンリンクＳＰＳリソースのリリースを指示するＰＤＣＣＨを受信するダウンリンクサブフレーム個数はＭ１であると確認する。
かつ、ＵＥがダウンリンクデータをまだ受信していないがデータ損失があると判断するダウンリンクキャリアおよび／またはダウンリンクサブフレームに基づき、ＵＥがＭ個ダウンリンクサブフレームにてデータをまだ受信していないがパケットロスと判断するダウンリンクサブフレーム個数はＰ１であると確認する。
ここで、前記Ｍは、前記ＵＥが現在のアップリンクサブフレームにてフィードバックしなければならないＡＣＫ／ＮＡＣＫ情報のダウンリンクサブフレーム個数である。
よって、前記パラメータ確認ユニット５２は、ＡＣＫ／ＮＡＣＫビット数パラメータ値ｎＨＡＲＱがＭ１＋Ｐ１であると確認する。
【０１１９】
または、空間バンドリング＋時間領域バンドリング方式を用いる場合、ダウンリンクデータを受信するダウンリンクキャリアおよび／またはダウンリンクサブフレーム、およびＵＥがダウンリンクデータをまだ受信していないがデータ損失があると判断するダウンリンクキャリアおよび／またはダウンリンクサブフレームに基づき、ＵＥがＮ２個ダウンリンクキャリアでのＭ個ダウンリンクサブフレームのＡＣＫ／ＮＡＣＫ情報に対し空間バンドリングと時間領域バンドリングを実行後に獲得した情報ビット数はＬ２であると確認する。
ここで、前記Ｎ２個ダウンリンクキャリアは、伝送ブロックおよび／またはダウンリンクＳＰＳリソースのリリースを指示するＰＤＣＣＨを受信するダウンリンクキャリア、およびＵＥがデータをまだ受信していないがパケットロスと判断するダウンリンクキャリアであり、前記Ｍは、前記ＵＥが現在のアップリンクサブフレームにてフィードバックしなければならないＡＣＫ／ＮＡＣＫ情報のダウンリンクサブフレーム個数である。
よって、前記パラメータ確認ユニット５２は、ＡＣＫ／ＮＡＣＫビット数パラメータ値ｎＨＡＲＱはＬ２であると確認する。
【０１２０】
または、前記ＵＥが空間バンドリング＋ＵＥが正確に受信したデータパケット／伝送ブロック個数を示すバンドリング方式を用いる場合、ダウンリンクデータを受信するダウンリンクキャリアおよび／またはダウンリンクサブフレーム、およびＵＥがダウンリンクデータをまだ受信していないがデータ損失があると判断するダウンリンクキャリアおよび／またはダウンリンクサブフレームに基づき、ＵＥが正確に受信したデータパケット個数を示す情報ビット数はＫであると確認する。
よって、前記パラメータ確認ユニット５２は、ＡＣＫ／ＮＡＣＫビット数パラメータ値ｎＨＡＲＱがＫであると確認する。          
【０１２１】
さらに、前記パラメータ確認ユニット５２は、
前記生成したＡＣＫ／ＮＡＣＫ情報に対しバンドリングを行わなくてもよいと確認する場合、：ＵＥが受信した伝送ブロックとダウンリンクＳＰＳリソースのリリースを指示するＰＤＣＣＨに基づきＡＣＫ／ＮＡＣＫビット数パラメータ値ｎＨＡＲＱを確認する。
具体的に、以下に説明する。
【０１２２】
前記パラメータ確認ユニット５２は、前記ＡＣＫ／ＮＡＣＫビット数パラメータ値ｎＨＡＲＱがＳであると確認する。
ここで、Ｓは、ＵＥが受信した伝送ブロック個数とダウンリンクＳＰＳリソースのリリースを指示するＰＤＣＣＨ個数との総計である。
【０１２３】
また、前記パラメータ確認ユニット５２は、前記生成したＡＣＫ／ＮＡＣＫ情報に対しバンドリングを行わなくてもよいと確認する場合、ＵＥが受信した伝送ブロックとダウンリンクＳＰＳリソースのリリースを指示するＰＤＣＣＨ、ＵＥがパケットロスと判断する伝送ブロック／ＰＤＳＣＨ、およびＵＥがパケットロスと判断するダウンリンクＳＰＳリソースのリリースを指示するＰＤＣＣＨの伝送データに基いてＡＣＫ／ＮＡＣＫビット数パラメータ値ｎＨＡＲＱを確認する。
具体的に、以下に説明する。
【０１２４】
前記パラメータ確認ユニット５２は、前記ＡＣＫ／ＮＡＣＫビット数パラメータ値ｎＨＡＲＱがＳ＋Ｐであると確認する。
ここで、Ｓは、前記ＵＥが受信した伝送ブロック個数とダウンリンクＳＰＳリソースのリリースを指示するＰＤＣＣＨ個数との総計であり、Ｐは、ＵＥがパケットロスと判断する伝送ブロック／ＰＤＳＣＨ個数、およびパケットロスと判断するダウンリンクＳＰＳリソースのリリースを指示するＰＤＣＣＨ個数との総計である。
【０１２５】
好ましくは、前記パラメータ確認ユニット５２が、ＡＣＫ／ＮＡＣＫビット数パラメータ値ｎＨＡＲＱを確認後、また前記データ送信ユニットと５３ＰＵＣＣＨ伝送ビット数に対応する電力オフセットを確認前に、もし、データ送信ユニットと５３がＡＣＫ／ＮＡＣＫ情報を送信するアップリンクサブフレームがＳＲサブフレームであり、かつ、ＳＲ情報とＡＣＫ／ＮＡＣＫ情報をジョイントコーディング方式により送信すれば、電力オフセットを計算するＡＣＫ／ＮＡＣＫビット数パラメータ値ｎＨＡＲＱに１を加える。
さらに、前記データ送信ユニットと５３に基づき１を加えた後のｎＨＡＲＱＰＵＣＣＨ伝送ビット数に対応する電力オフセットを確認し、かつ、この電力オフセットに基づきＰＵＣＣＨの送信電力を確認し、当該送信電力によりＰＵＣＣＨにてバンドリング実行後のＡＣＫ／ＮＡＣＫ情報を送信する。
または、前記データ送信ユニット５３は、直接ＰＵＣＣＨ伝送ビット数に対応する電力オフセットを確認する公式にＳＲビット数パラメータ値ｎＳＲを導入する。
もし、ＡＣＫ／ＮＡＣＫ情報を送信するアップリンクサブフレームがＳＲサブフレームであり、かつ、ＳＲ情報とＡＣＫ／ＮＡＣＫ情報をジョイントコーディング方式により送信すれば、ｎＳＲ＝１、そうでなければ、ｎＳＲ＝０。
【０１２６】
前記データ送信ユニットと５３は、以下の公式に基づきアップリンクサブフレームｉにおけるＰＵＣＣＨの送信電力を確認する。
0005592569.tif 000097
ここで、
0005592569.tif 000098
は、上位層に配置された前記ＵＥの最大送信電力であり、パラメータ
0005592569.tif 000099
は、上位層に配置された異なるＰＵＣＣＨフォーマットがＰＵＣＣＨフォーマット１ａに対応する電力オフセットパラメータであり、
0005592569.tif 000100
は、ＰＵＣＣＨ伝送ビット数に対応する電力オフセットであり、
0005592569.tif 000101
は、チャネル状態情報ＣＳＩビット数パラメータ値であり、
0005592569.tif 000102
は、ＡＣＫ／ＮＡＣＫビット数パラメータ値であり、
0005592569.tif 000103
はスケジューリング要求ＳＲビット数パラメータ値であり、
0005592569.tif 000104
は、ＰＵＣＣＨの送信電力目標値であり、
0005592569.tif 000105
は、電力制御コマンドワード累積量であり、
0005592569.tif 000106
は、前記ＵＥが測量したルート損失値であり、
0005592569.tif 000107
は、上位層に配置された前記ＵＥの送信ダイバシティ電力調整量である。
【０１２７】
本発明の有益效果は、本発明の実施形態にかかる方法において、ＵＥがダウンリンクデータを受信し、かつ、ＡＣＫ／ＮＡＣＫ情報を生成することと；生成したＡＣＫ／ＮＡＣＫ情報に対しバンドリングを行わなければならないか否かを確認し、生成したＡＣＫ／ＮＡＣＫ情報に対しバンドリングを行わなければならないと確認した場合、予め設定したバンドリング方式によりＡＣＫ／ＮＡＣＫ情報に対しバンドリングを行い、かつ、ＡＣＫ／ＮＡＣＫ情報に対するバンドリング方式に基いてＡＣＫ／ＮＡＣＫビット数パラメータ値ｎＨＡＲＱを確認することと；ｎＨＡＲＱに基いてＰＵＣＣＨ伝送ビット数に対応する電力オフセットを確認し、この電力オフセットに基いてＰＵＣＣＨの送信電力を確認し、かつ、送信電力によりＰＵＣＣＨにてバンドリング実行後のＡＣＫ／ＮＡＣＫ情報を送信することを含む。
【０１２８】
本発明において、ＵＥが生成したＡＣＫ／ＮＡＣＫ情報に対しバンドリングを行わなければならないと確認した場合、予め設定したバンドリング方式によりＡＣＫ／ＮＡＣＫ情報に対しバンドリングを行い、バンドリング方式に基いてｎＨＡＲＱを確認し、かつ、ｎＨＡＲＱに基いてＰＵＣＣＨの送信電力を確認する。
バンドリング実行後のＡＫ／ＮＡＣＫフィードバックビット数多くの状況において実際に受信した伝送ブロック個数よりかなり小さいため、ＡＣＫ／ＮＡＣＫ情報のバンドリング方式に基いてＡＣＫ／ＮＡＣＫビット数パラメータ値ｎＨＡＲＱを確認し、ＵＥの実際の送信電力と実際の送信情報のビット数一致することをできる限り確保できる。
さらに、合理的にＵＥのＰＵＣＣＨにおける送信電力を確認し、電力浪費を避け、ＵＥ電力利用率を向上させることは明らかである。
【０１２９】
無論、当業者により、上述した実施形態に記述された技術的な解決手段を改造し、或いはその中の一部の技術要素を置換することもできる。
そのような、改造と置換は、本発明の技術の範囲から逸脱するとは見なされない。
【０１３０】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。
さらに、本発明は、一つ或いは複数のコンピュータプログラム製品の形式を採用できる。
当該製品は、コンピュータ使用可能なプログラムコードを含むコンピュータ使用可能な記憶媒体（ディスク記憶装置と光学記憶装置等を含むがそれとは限らない）において実施する。
【０１３１】
以上は、本発明の実施形態の方法、装置（システム）、およびコンピュータプログラム製品のフロー図および／またはブロック図により、本発明を記述した。
理解すべきことは、コンピュータプログラム指令により、フロー図および／またはブロック図における各フローおよび／またはブロックと、フロー図および／またはブロック図におけるフローおよび／またはブロックの結合を実現できる。
プロセッサは、これらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１３２】
これらのコンピュータプログラム指令は又、コンピュータ或いは他のプログラム可能なデータ処理装置を特定方式で動作させるコンピュータ読取記憶装置に記憶できる。
これにより、指令を含む装置は当該コンピュータ読取記憶装置内の指令を実行でき、フロー図における一つ或いは複数のフローおよび／またはブロック図における一つ或いは複数のブロックに指定する機能を実現する。
【０１３３】
これらコンピュータプログラム指令はさらに、コンピュータ或いは他のプログラム可能なデータ処理装置設備に実装もできる。
コンピュータプログラム指令が実装されたコンピュータ或いは他のプログラム可能設備は、一連の操作ステップを実行することにより、関連の処理を実現し、コンピュータ或いは他のプログラム可能な設備において実行される指令により、フロー図における一つ或いは複数のフローおよび／またはブロック図における一つ或いは複数のブロックに指定する機能を実現する。
【０１３４】
上述した実施形態に記述された技術的な解決手段を改造し、或いは、その中の一部の技術要素を置換することもできる。
そのような改造と置換は、本発明の各実施形態の技術の範囲から逸脱するとは見なされない。
【０１３５】
無論、当業者により、上述した実施形態に記述された技術的な解決手段を改造し、或いは、その中の一部の技術要素を置換することもできる。
そのような改造と置換は、本発明の各実施形態の技術の範囲から逸脱するとは見なされない。
そのような改造と置換は、すべて本発明の請求の範囲に属する。
【図１】
0005592569.tif 000185
【図２】
0005592569.tif 000186
【図３】
0005592569.tif 000187
【図４Ａ】
0005592569.tif 000188
【図４Ｂ】
0005592569.tif 000189
【図４Ｃ】
0005592569.tif 000190
【図４Ｄ】
0005592569.tif 000191
【図４Ｅ】
0005592569.tif 000192
【図５】
0005592569.tif 000193